(57)【要約】  本発明は、端末装置によって、第1のデータチャネルに対応する第1の受信状態と、第2のデータチャネルに対応する第2の受信状態と、を判定するステップと、端末装置によって、ハイブリッド自動再送要求確認応答HARQ−ACKフィードバックメッセージを生成するステップであって、HARQ−ACKフィードバックメッセージが、第1の受信状態と第2の受信状態とを示すために少なくとも使用され、第1のデータチャネルが占有する時間領域リソースの長さが第1の時間長であり、第2のデータチャネルが占有する時間領域リソースの長さが第2の時間長であり、第1の時間長が第2の時間長未満である、ステップと、端末装置によって、第3の時間長を有する時間領域リソース上でHARQ−ACKフィードバックメッセージを送信するステップと、を含む、フィードバックメッセージ送信方法を提供する。上記の解決策を用いることにより、端末装置は、1つのHARQ−ACKフィードバックメッセージを用いて、異なる長さの時間領域リソースを占有する複数のデータチャネルまたは複数のデータ送信に対応する受信状態を効率的にフィードバックすることができ、それによって、通信サービス品質を確保できる。
2019521561.tif 000002
【特許請求の範囲】
【請求項１】
端末装置によって、第1のデータチャネルに対応する第1の受信状態と、第2のデータチャネルに対応する第2の受信状態と、を判定するステップと、
前記端末装置によって、ハイブリッド自動再送要求確認応答HARQ−ACKフィードバックメッセージを生成するステップであって、前記HARQ−ACKフィードバックメッセージが、前記第1の受信状態と前記第2の受信状態とを示すために少なくとも使用され、前記第1のデータチャネルが占有する時間領域リソースの長さが第1の時間長であり、前記第2のデータチャネルが占有する時間領域リソースの長さが第2の時間長であり、前記第1の時間長が前記第2の時間長未満である、ステップと、
前記端末装置によって、第3の時間長を有する時間領域リソース上で前記HARQ−ACKフィードバックメッセージを送信するステップと、
を含む、フィードバックメッセージ送信方法。
【請求項２】
前記端末装置によって、第3の時間長を有する時間領域リソース上で前記HARQ−ACKフィードバックメッセージを送信する、前記ステップの前に、
前記端末装置によって、前記第3の時間長を示すために使用されるシグナリングを受信するステップ
をさらに含む、請求項1に記載の方法。
【請求項３】
前記端末装置によって、HARQ−ACKフィードバックメッセージを生成する、前記ステップの前に、
前記端末装置によって、少なくとも2つのダウンリンクデータチャネルを受信するステップであって、前記少なくとも2つのダウンリンクデータチャネルが、前記第1のデータチャネルと前記第2のデータチャネルとを含む、ステップ
をさらに含み、
前記HARQ−ACKフィードバックメッセージが、前記少なくとも2つのダウンリンクデータチャネルのすべてに対応する受信状態の論理および演算結果を用いて、前記第1の受信状態と前記第2の受信状態とを示す、
請求項1または2に記載の方法。
【請求項４】
前記HARQ−ACKフィードバックメッセージが第1の確認応答情報と第2の確認応答情報とを含み、前記第1の確認応答情報が前記第1の受信状態を示すために使用され、前記第2の確認応答情報が前記第2の受信状態を示すために使用され、
前記HARQ−ACKフィードバックメッセージにおいて、前記第1の確認応答情報が前記第2の確認応答情報の後にある、
請求項1または2に記載の方法。
【請求項５】
前記第1のデータチャネルはM個のデータチャネルのうちの1つであり、前記第2のデータチャネルはN個のデータチャネルのうちの1つであり、MおよびNは正の整数であり、
前記端末装置によって、HARQ−ACKフィードバックメッセージを生成する、前記ステップの前に、前記方法は、
前記端末装置によって、前記M個のデータチャネルを受信するステップであって、前記第1の確認応答情報が、前記M個のデータチャネルのすべてに対応する受信状態の論理および演算結果を示すために使用される、ステップ、ならびに／または
前記端末装置によって、前記N個のデータチャネルを受信するステップであって、前記第2の確認応答情報が、前記N個のデータチャネルのすべてに対応する受信状態の論理および演算結果を示すために使用される、ステップ
をさらに含む、請求項4に記載の方法。
【請求項６】
前記HARQ−ACKフィードバックメッセージはX個の確認応答情報を含み、前記X個の確認応答情報は前記第1の確認応答情報と前記第2の確認応答情報とを含み、前記X個の確認応答情報はX個のデータチャネルに対応する受信状態をそれぞれ示し、前記X個のデータチャネルは前記第1のデータチャネルと前記第2のデータチャネルとを含み、Xは2以上の整数である、請求項4に記載の方法。
【請求項７】
前記X個のデータチャネルは、P個の受信データチャネルと（X−P）個の未受信データチャネルとを含み、前記X個の確認応答情報におけるP個の確認応答情報は、前記P個の受信データチャネルに対応する受信状態を示すためにそれぞれ使用され、前記X個の確認応答情報における（X−P）個の確認応答情報は、前記（X−P）個の未受信データチャネルに対応する受信状態を示すためにそれぞれ使用され、前記（X−P）個の未受信データチャネルに対応する前記受信状態は、否定応答NACKまたは間欠送信DTXであり、Pは整数であり、P≦Xであり、
前記第1のデータチャネルは、前記P個の受信データチャネルのうちの1つである、または前記（X−P）個の未受信データチャネルのうちの1つであり、
前記第2のデータチャネルは、前記P個の受信データチャネルのうちの1つである、または前記（X−P）個の未受信データチャネルのうちの1つである、
請求項6に記載の方法。
【請求項８】
前記端末装置によって、第3の時間長を有する時間領域リソース上で前記HARQ−ACKフィードバックメッセージを送信する、前記ステップの前に、
前記端末装置によって、前記第1の受信状態と前記第2の受信状態とに基づいて、物理アップリンク制御チャネルPUCCHリソースを判定するステップであって、前記PUCCHリソースは、前記第3の時間長を有する前記時間領域リソース上に位置する、ステップ
をさらに含み、
前記端末装置によって、第3の時間長を有する時間領域リソース上で前記HARQ−ACKフィードバックメッセージを送信する、前記ステップが、
前記端末装置によって、前記判定されたPUCCHリソース上で前記HARQ−ACKフィードバックメッセージを送信するステップ
を含む、請求項1または2に記載の方法。
【請求項９】
前記第1のデータチャネルおよび前記第2のデータチャネルは、第1のサービングセルに位置し、
前記HARQ−ACKフィードバックメッセージは、第3のデータチャネルに対応する第3の受信状態を示すためにさらに使用され、前記第3のデータチャネルは、第2のサービングセルに位置する、
請求項1から8のいずれか一項に記載の方法。
【請求項１０】
ネットワーク装置によって、第3の時間長を有する時間領域リソース上でハイブリッド自動再送要求確認応答HARQ−ACKフィードバックメッセージを受信するステップであって、前記HARQ−ACKフィードバックメッセージが、第1のデータチャネルに対応する第1の受信状態と第2のデータチャネルに対応する第2の受信状態とを示すために少なくとも使用され、前記第1のデータチャネルが占有する時間領域リソースの長さは第1の時間長であり、前記第2のデータチャネルが占有する時間領域リソースの長さは第2の時間長であり、前記第1の時間長は前記第2の時間長未満である、ステップと、
前記ネットワーク装置によって、前記HARQ−ACKフィードバックメッセージに基づいて、前記第1の受信状態と前記第2の受信状態とを判定するステップと、
を含む、フィードバックメッセージ受信方法。
【請求項１１】
ネットワーク装置によって、第3の時間長を有する時間領域リソース上でHARQ−ACKフィードバックメッセージを受信する、前記ステップの前に、
前記ネットワーク装置によって、前記第3の時間長を示すために使用されるシグナリングを送信するステップ
をさらに含む、請求項10に記載の方法。
【請求項１２】
ネットワーク装置によって、第3の時間長を有する時間領域リソース上でHARQ−ACKフィードバックメッセージを受信する、前記ステップの前に、
前記ネットワーク装置によって、少なくとも2つのダウンリンクデータチャネルを送信するステップであって、前記少なくとも2つのダウンリンクデータチャネルが、前記第1のデータチャネルと前記第2のデータチャネルとを含む、ステップ
をさらに含み、
前記HARQ−ACKフィードバックメッセージが、前記少なくとも2つのダウンリンクデータチャネルのすべてに対応する受信状態の論理および演算結果を用いて、前記第1の受信状態と前記第2の受信状態とを示す、
請求項10または11に記載の方法。
【請求項１３】
前記HARQ−ACKフィードバックメッセージが第1の確認応答情報と第2の確認応答情報とを含み、前記第1の確認応答情報が前記第1の受信状態を示すために使用され、前記第2の確認応答情報が前記第2の受信状態を示すために使用され、
前記HARQ−ACKフィードバックメッセージにおいて、前記第1の確認応答情報が前記第2の確認応答情報の後にある、
請求項10または11に記載の方法。
【請求項１４】
前記第1のデータチャネルはM個のデータチャネルのうちの1つであり、前記第2のデータチャネルはN個のデータチャネルのうちの1つであり、MおよびNは正の整数であり、
ネットワーク装置によって、第3の時間長を有する時間領域リソース上でHARQ−ACKフィードバックメッセージを受信する、前記ステップの前に、前記方法は、
前記ネットワーク装置によって、前記M個のデータチャネルを送信するステップであって、前記第1の確認応答情報が、前記M個のデータチャネルのすべてに対応する受信状態の論理および演算結果を示すために使用される、ステップ、ならびに／または
前記ネットワーク装置によって、前記N個のデータチャネルを送信するステップであって、前記第2の確認応答情報が、前記N個のデータチャネルのすべてに対応する受信状態の論理および演算結果を示すために使用される、ステップ
をさらに含む、請求項13に記載の方法。
【請求項１５】
前記HARQ−ACKフィードバックメッセージはX個の確認応答情報を含み、前記X個の確認応答情報は前記第1の確認応答情報と前記第2の確認応答情報とを含み、前記X個の確認応答情報はX個のデータチャネルに対応する受信状態をそれぞれ示し、前記X個のデータチャネルは前記第1のデータチャネルと前記第2のデータチャネルとを含み、Xは2以上の整数である、請求項13に記載の方法。
【請求項１６】
前記X個のデータチャネルは、P個の受信データチャネルと（X−P）個の未受信データチャネルとを含み、前記X個の確認応答情報におけるP個の確認応答情報は、前記P個の受信データチャネルに対応する受信状態を示すためにそれぞれ使用され、前記X個の確認応答情報における（X−P）個の確認応答情報は、前記（X−P）個の未受信データチャネルに対応する受信状態を示すためにそれぞれ使用され、前記（X−P）個の未受信データチャネルに対応する前記受信状態は、否定応答NACKまたは間欠送信DTXであり、Pは整数であり、P≦Xであり、
前記第1のデータチャネルは、前記P個の受信データチャネルのうちの1つである、または前記（X−P）個の未受信データチャネルのうちの1つであり、
前記第2のデータチャネルは、前記P個の受信データチャネルのうちの1つである、または前記（X−P）個の未受信データチャネルのうちの1つである、
請求項15に記載の方法。
【請求項１７】
前記ネットワーク装置によって、前記HARQ−ACKフィードバックメッセージに基づいて、前記第1の受信状態と前記第2の受信状態とを判定する、前記ステップが、
前記ネットワーク装置によって、前記HARQ−ACKフィードバックメッセージと、前記HARQ−ACKフィードバックメッセージを運ぶ物理アップリンク制御チャネルPUCCHリソースとに基づいて、前記第1の受信状態と前記第2の受信状態とを判定するステップ
を含む、請求項10または11に記載の方法。
【請求項１８】
前記第1のデータチャネルおよび前記第2のデータチャネルは、第1のサービングセルに位置し、
前記HARQ−ACKフィードバックメッセージは、第3のデータチャネルに対応する第3の受信状態を示すためにさらに使用され、前記第3のデータチャネルは、第2のサービングセルに位置する、
請求項10から17のいずれか一項に記載の方法。
【請求項１９】
第1のデータチャネルに対応する第1の受信状態と、第2のデータチャネルに対応する第2の受信状態と、を判定し、ハイブリッド自動再送要求確認応答HARQ−ACKフィードバックメッセージを生成し、前記HARQ−ACKフィードバックメッセージが、前記第1の受信状態と前記第2の受信状態とを示すために少なくとも使用され、前記第1のデータチャネルが占有する時間領域リソースの長さが第1の時間長であり、前記第2のデータチャネルが占有する時間領域リソースの長さが第2の時間長であり、前記第1の時間長が前記第2の時間長未満である、ように構成される、プロセッサと、
第3の時間長を有する時間領域リソース上で前記HARQ−ACKフィードバックメッセージを送信するように構成される送受信機と、
を備える、端末装置。
【請求項２０】
前記送受信機は、前記第3の時間長を有する前記時間領域リソース上で前記HARQ−ACKフィードバックメッセージを送信する前に、前記第3の時間長を示すために使用されるシグナリングを受信するように構成される、
請求項19に記載の端末装置。
【請求項２１】
前記送受信機は、前記プロセッサが前記HARQ−ACKフィードバックメッセージを生成する前に、少なくとも2つのダウンリンクデータチャネルを受信し、前記少なくとも2つのダウンリンクデータチャネルが、前記第1のデータチャネルと前記第2のデータチャネルとを含む、ように構成され、
前記HARQ−ACKフィードバックメッセージが、前記少なくとも2つのダウンリンクデータチャネルのすべてに対応する受信状態の論理および演算結果を用いて、前記第1の受信状態と前記第2の受信状態とを示す、
請求項19または20に記載の端末装置。
【請求項２２】
前記HARQ−ACKフィードバックメッセージが第1の確認応答情報と第2の確認応答情報とを含み、前記第1の確認応答情報が前記第1の受信状態を示すために使用され、前記第2の確認応答情報が前記第2の受信状態を示すために使用され、
前記HARQ−ACKフィードバックメッセージにおいて、前記第1の確認応答情報が前記第2の確認応答情報の後にある、
請求項19または20に記載の端末装置。
【請求項２３】
前記第1のデータチャネルはM個のデータチャネルのうちの1つであり、前記第2のデータチャネルはN個のデータチャネルのうちの1つであり、MおよびNは正の整数であり、
前記送受信機は、前記プロセッサが前記HARQ−ACKフィードバックメッセージを生成する前に、前記M個のデータチャネルを受信し、前記第1の確認応答情報が、前記M個のデータチャネルのすべてに対応する受信状態の論理および演算結果を示すために使用される、ように構成される、ならびに／または
前記N個のデータチャネルを受信し、前記第2の確認応答情報が、前記N個のデータチャネルのすべてに対応する受信状態の論理および演算結果を示すために使用される、ように構成される、
請求項22に記載の端末装置。
【請求項２４】
前記HARQ−ACKフィードバックメッセージはX個の確認応答情報を含み、前記X個の確認応答情報は前記第1の確認応答情報と前記第2の確認応答情報とを含み、前記X個の確認応答情報はX個のデータチャネルに対応する受信状態をそれぞれ示し、前記X個のデータチャネルは前記第1のデータチャネルと前記第2のデータチャネルとを含み、Xは2以上の整数である、請求項22に記載の端末装置。
【請求項２５】
前記X個のデータチャネルは、P個の受信データチャネルと（X−P）個の未受信データチャネルとを含み、前記X個の確認応答情報におけるP個の確認応答情報は、前記P個の受信データチャネルに対応する受信状態を示すためにそれぞれ使用され、前記X個の確認応答情報における（X−P）個の確認応答情報は、前記（X−P）個の未受信データチャネルに対応する受信状態を示すためにそれぞれ使用され、前記（X−P）個の未受信データチャネルに対応する前記受信状態は、否定応答NACKまたは間欠送信DTXであり、Pは整数であり、P≦Xであり、
前記第1のデータチャネルは、前記P個の受信データチャネルのうちの1つである、または前記（X−P）個の未受信データチャネルのうちの1つであり、
前記第2のデータチャネルは、前記P個の受信データチャネルのうちの1つである、または前記（X−P）個の未受信データチャネルのうちの1つである、
請求項24に記載の端末装置。
【請求項２６】
前記プロセッサは、前記送受信機が前記第3の時間長を有する前記時間領域リソース上で前記HARQ−ACKフィードバックメッセージを送信する前に、前記第1の受信状態と前記第2の受信状態とに基づいて、物理アップリンク制御チャネルPUCCHリソースを判定し、前記PUCCHリソースは、前記第3の時間長を有する前記時間領域リソース上に位置する、ように構成され、
前記送受信機は、前記PUCCHリソース上で前記HARQ−ACKフィードバックメッセージを送信するように構成される、
請求項19または20に記載の端末装置。
【請求項２７】
前記第1のデータチャネルおよび前記第2のデータチャネルは、第1のサービングセルに位置し、
前記HARQ−ACKフィードバックメッセージは、第3のデータチャネルに対応する第3の受信状態を示すためにさらに使用され、前記第3のデータチャネルは、第2のサービングセルに位置する、
請求項19から26のいずれか一項に記載の端末装置。
【請求項２８】
第3の時間長を有する時間領域リソース上でハイブリッド自動再送要求確認応答HARQ−ACKフィードバックメッセージを受信し、前記HARQ−ACKフィードバックメッセージが、第1のデータチャネルに対応する第1の受信状態と第2のデータチャネルに対応する第2の受信状態とを示すために少なくとも使用され、前記第1のデータチャネルが占有する時間領域リソースの長さは第1の時間長であり、前記第2のデータチャネルが占有する時間領域リソースの長さは第2の時間長であり、前記第1の時間長は前記第2の時間長未満である、ように構成される送受信機と、
前記HARQ−ACKフィードバックメッセージに基づいて、前記第1の受信状態と前記第2の受信状態とを判定するように構成されるプロセッサと、
を備える、ネットワーク装置。
【請求項２９】
前記送受信機は、前記第3の時間長を有する前記時間領域リソース上で前記HARQ−ACKフィードバックメッセージを受信する前に、前記第3の時間長を示すために使用されるシグナリングを送信するように構成される、
請求項28に記載のネットワーク装置。
【請求項３０】
前記送受信機は、前記第3の時間長を有する前記時間領域リソース上で前記HARQ−ACKフィードバックメッセージを受信する前に、少なくとも2つのダウンリンクデータチャネルを送信し、前記少なくとも2つのダウンリンクデータチャネルが、前記第1のデータチャネルと前記第2のデータチャネルとを含む、ように構成され、
前記HARQ−ACKフィードバックメッセージが、前記少なくとも2つのダウンリンクデータチャネルのすべてに対応する受信状態の論理および演算結果を用いて、前記第1の受信状態と前記第2の受信状態とを示す、
請求項28または29に記載のネットワーク装置。
【請求項３１】
前記HARQ−ACKフィードバックメッセージが第1の確認応答情報と第2の確認応答情報とを含み、前記第1の確認応答情報が前記第1の受信状態を示すために使用され、前記第2の確認応答情報が前記第2の受信状態を示すために使用され、
前記HARQ−ACKフィードバックメッセージにおいて、前記第1の確認応答情報が前記第2の確認応答情報の後にある、
請求項28または29に記載のネットワーク装置。
【請求項３２】
前記第1のデータチャネルはM個のデータチャネルのうちの1つであり、前記第2のデータチャネルはN個のデータチャネルのうちの1つであり、MおよびNは正の整数であり、
前記送受信機は、前記第3の時間長を有する前記時間領域リソース上で前記HARQ−ACKフィードバックメッセージを受信する前に、前記M個のデータチャネルを送信し、前記第1の確認応答情報が、前記M個のデータチャネルのすべてに対応する受信状態の論理および演算結果を示すために使用される、ように構成される、ならびに／または
前記N個のデータチャネルを送信し、前記第2の確認応答情報が、前記N個のデータチャネルのすべてに対応する受信状態の論理および演算結果を示すために使用される、ように構成される、
請求項31に記載のネットワーク装置。
【請求項３３】
前記HARQ−ACKフィードバックメッセージはX個の確認応答情報を含み、前記X個の確認応答情報は前記第1の確認応答情報と前記第2の確認応答情報とを含み、前記X個の確認応答情報はX個のデータチャネルに対応する受信状態をそれぞれ示し、前記X個のデータチャネルは前記第1のデータチャネルと前記第2のデータチャネルとを含み、Xは2以上の整数である、請求項31に記載のネットワーク装置。
【請求項３４】
前記X個のデータチャネルは、P個の受信データチャネルと（X−P）個の未受信データチャネルとを含み、前記X個の確認応答情報におけるP個の確認応答情報は、前記P個の受信データチャネルに対応する受信状態を示すためにそれぞれ使用され、前記X個の確認応答情報における（X−P）個の確認応答情報は、前記（X−P）個の未受信データチャネルに対応する受信状態を示すためにそれぞれ使用され、前記（X−P）個の未受信データチャネルに対応する前記受信状態は、否定応答NACKまたは間欠送信DTXであり、Pは整数であり、P≦Xであり、
前記第1のデータチャネルは、前記P個の受信データチャネルのうちの1つである、または前記（X−P）個の未受信データチャネルのうちの1つであり、
前記第2のデータチャネルは、前記P個の受信データチャネルのうちの1つである、または前記（X−P）個の未受信データチャネルのうちの1つである、
請求項33に記載のネットワーク装置。
【請求項３５】
前記プロセッサは、前記HARQ−ACKフィードバックメッセージと、前記HARQ−ACKフィードバックメッセージを運ぶ物理アップリンク制御チャネルPUCCHリソースとに基づいて、前記第1の受信状態と前記第2の受信状態とを判定するように構成される、請求項28または29に記載のネットワーク装置。
【請求項３６】
前記第1のデータチャネルおよび前記第2のデータチャネルは、第1のサービングセルに位置し、
前記HARQ−ACKフィードバックメッセージは、第3のデータチャネルに対応する第3の受信状態を示すためにさらに使用され、前記第3のデータチャネルは、第2のサービングセルに位置する、
請求項28から35のいずれか一項に記載のネットワーク装置。
【発明の詳細な説明】
【技術分野】
【０００１】
本発明は、通信システムの分野に関し、詳細には、フィードバックメッセージ生成方法および装置、ならびにフィードバックメッセージ処理方法および装置に関する。
【背景技術】
【０００２】
ロングタームエボリューション（Long Term Evolution、LTE）システムでは、ネットワーク装置によって送信されたダウンリンクデータを受信した後、端末装置は、ハイブリッド自動再送要求確認応答（hybrid automatic repeat request−acknowledgement、HARQ−ACK）フィードバックメッセージをネットワーク装置に送信する必要がある。ダウンリンクデータを正しく受信した場合、端末装置は、確認応答（acknowledgement、ACK）を返す。ダウンリンクデータを正しく受信できなかった場合、端末装置は、否定応答（negative acknowledgement、NACK）を返す。ネットワーク装置は、受信したHARQ−ACK情報に基づいて後続の動作を実行する、例えばダウンリンクデータを再送信するか否かを判定する。HARQ−ACK情報は、物理アップリンク制御チャネル（physical uplink control channel、PUCCH）または物理アップリンク共有チャネル（physical uplink shared channel、PUSCH）上で運ばれ得る。
【０００３】
無線通信システムでは、レイテンシ（latency）は、ユーザエクスペリエンスに影響を与える重要な要因の1つであり、継続的に出現する新しいサービスは、レイテンシに対してますます厳格な要件を課している。したがって、既存のLTEシステムでは、1サブフレーム、すなわち1ミリ秒（ms）の送信時間長に基づく送信メカニズムは、低レイテンシサービスの通信要件を満たすことができない。レイテンシを短くするために、物理ダウンリンク共有チャネル（physical downlink control channel、PDSCH）の送信時間長を、1サブフレームから1タイムスロットまで、または1シンボルにまで削減する必要がある。さらに、異なるサービス要件またはシナリオ要件を整合させるために、端末装置は、複数の送信時間長のダウンリンクデータを受信する必要がある。したがって、複数の送信時間長のデータの受信状態をいかに効率的にフィードバックするかは、通信サービス品質を確保する鍵である。
【発明の概要】
【課題を解決するための手段】
【０００４】
本発明の実施形態は、複数の送信時間長のデータの受信状態を効率良くフィードバックするために、フィードバックメッセージ送信方法および装置、ならびにフィードバックメッセージ処理方法および装置を提供する。
【０００５】
第1の実施態様によれば、
端末装置によって、第1のデータチャネルに対応する第1の受信状態と、第2のデータチャネルに対応する第2の受信状態と、を判定するステップと、
端末装置によって、ハイブリッド自動再送要求確認応答HARQ−ACKフィードバックメッセージを生成するステップであって、HARQ−ACKフィードバックメッセージが、第1のデータチャネルに対応する第1の受信状態と第2のデータチャネルに対応する第2の受信状態とを示すために少なくとも使用され、第1のデータチャネルが占有する時間領域リソースの長さが第1の時間長であり、第2のデータチャネルが占有する時間領域リソースの長さが第2の時間長であり、第1の時間長が第2の時間長未満である、ステップと、
端末装置によって、第3の時間長を有する時間領域リソース上でHARQ−ACKフィードバックメッセージを送信するステップと、
を含む、フィードバックメッセージ送信方法が提供される。
【０００６】
本発明の本実施形態で提供されるフィードバックメッセージ送信方法は、端末装置とネットワーク装置との間でデータを送信し、データの受信状態をフィードバックするシナリオに適用してもよいし、端末装置間でデータを送信し、データの受信状態をフィードバックするシナリオに適用してもよいし、ネットワーク装置間でデータを送信し、データの受信状態をフィードバックするシナリオに適用してもよいことに留意されたい。例えば、第1の実施態様において提供されるフィードバックメッセージ送信方法は、ネットワーク装置を使用して行われる。
【０００７】
場合により、端末装置によって、第3の時間長を有する時間領域リソース上でHARQ−ACKフィードバックメッセージを送信するステップの前に、本方法は、
端末装置によって、第3の時間長を示すために使用されるシグナリングを受信するステップ
をさらに含む。
【０００８】
場合により、端末装置によって、ハイブリッド自動再送要求確認応答HARQ−ACKフィードバックメッセージを生成するステップの前に、本方法は、
端末装置によって、少なくとも2つのダウンリンクデータチャネルを受信するステップであって、少なくとも2つのダウンリンクデータチャネルが、第1のデータチャネルと第2のデータチャネルとを含む、ステップ
をさらに含み、
HARQ−ACKフィードバックメッセージが、少なくとも2つのダウンリンクデータチャネルのすべてに対応する受信状態の論理および演算結果を用いて、第1の受信状態と第2の受信状態とを示す。
【０００９】
場合により、HARQ−ACKフィードバックメッセージが第1の確認応答情報と第2の確認応答情報とを含み、第1の確認応答情報が第1の受信状態を示すために使用され、第2の確認応答情報が第2のデータチャネルに対応する第2の受信状態を示すために使用され、
HARQ−ACKフィードバックメッセージにおいて、第1の確認応答情報が第2の確認応答情報の後にある。
【００１０】
場合により、HARQ−ACKフィードバックメッセージにおいて、第1の確認応答情報は、第2の確認応答情報の前にある。
【００１１】
フィードバックメッセージの復号の間、前方に位置する情報の復号成功率は、いくつかの符号化方式（例えば、RM符号化）においてより高い。したがって、より頻繁に出現するデータチャネルに対応する確認応答情報は、HARQ−ACKフィードバックメッセージの前に設定でき、その結果、ネットワーク装置がより頻繁に出現するデータチャネルの受信状態を正確に取得する可能性が高くなることが確実にされ得る。
【００１２】
場合により、第1のデータチャネルはM個のデータチャネルのうちの1つであり、第2のデータチャネルはN個のデータチャネルのうちの1つであり、MおよびNは正の整数であり、
端末装置によって、ハイブリッド自動再送要求確認応答HARQ−ACKフィードバックメッセージを生成するステップの前に、本方法は、
端末装置によって、M個のデータチャネルを受信するステップであって、第1の確認応答情報が、M個のデータチャネルのすべてに対応する受信状態の論理および演算結果を示すために使用される、ステップ、ならびに／または
端末装置によって、N個のデータチャネルを受信するステップであって、第2の確認応答情報が、N個のデータチャネルのすべてに対応する受信状態の論理および演算結果を示すために使用される、ステップ
をさらに含む。
【００１３】
場合により、HARQ−ACKフィードバックメッセージはX個の確認応答情報を含み、X個の確認応答情報は第1の確認応答情報と第2の確認応答情報とを含み、X個の確認応答情報はX個のデータチャネルに対応する受信状態をそれぞれ示し、X個のデータチャネルは第1のデータチャネルと第2のデータチャネルとを含み、Xは2以上の整数である。
【００１４】
場合により、X個のデータチャネルは、P個の受信データチャネルと（X−P）個の未受信データチャネルとを含み、X個の確認応答情報におけるP個の確認応答情報は、P個の受信データチャネルに対応する受信状態を示すためにそれぞれ使用され、X個の確認応答情報における（X−P）個の確認応答情報は、（X−P）個の未受信データチャネルに対応する受信状態を示すためにそれぞれ使用され、（X−P）個の未受信データチャネルに対応する受信状態は、NACKまたはDTXであり、Pは整数であり、P≦Xであり、
第1のデータチャネルは、P個の受信データチャネルのうちの1つである、または（X−P）個の未受信データチャネルのうちの1つであり、
第2のデータチャネルは、P個の受信データチャネルのうちの1つである、または（X−P）個の未受信データチャネルのうちの1つである。
【００１５】
場合により、端末装置によって、第3の時間長を有する時間領域リソース上でHARQ−ACKフィードバックメッセージを送信するステップの前に、本方法は、
端末装置によって、第1のデータチャネルに対応する第1の受信状態と第2のデータチャネルに対応する第2の受信状態とに基づいて、物理アップリンク制御チャネルPUCCHリソースを判定するステップであって、PUCCHリソースは、第3の時間長を有する時間領域上に位置する、ステップ
をさらに含み、
端末装置によって、第3の時間長を有する時間領域リソース上でHARQ−ACKフィードバックメッセージを送信するステップが、
端末装置によって、判定されたPUCCHリソース上でHARQ−ACKフィードバックメッセージを送信するステップ
を含む。
【００１６】
場合により、第1のデータチャネルおよび第2のデータチャネルは、第1のサービングセルに位置し、
HARQ−ACKフィードバックメッセージは、第3のデータチャネルに対応する第3の受信状態を示すためにさらに使用され、第3のデータチャネルは、第2のサービングセルに位置する。
【００１７】
第2の実施態様によれば、
ネットワーク装置によって、第3の時間長を有する時間領域リソース上でHARQ−ACKフィードバックメッセージを受信するステップであって、HARQ−ACKフィードバックメッセージが、第1のデータチャネルに対応する第1の受信状態と第2のデータチャネルに対応する第2の受信状態とを示すために少なくとも使用され、第1のデータチャネルが占有する時間領域リソースの長さは第1の時間長であり、第2のデータチャネルが占有する時間領域リソースの長さは第2の時間長であり、第1の時間長は第2の時間長未満である、ステップと、
ネットワーク装置によって、HARQ−ACKフィードバックメッセージに基づいて、第1のデータチャネルに対応する第1の受信状態と第2のデータチャネルに対応する第2の受信状態とを判定するステップと、
を含む、フィードバックメッセージ処理方法が提供される。
【００１８】
場合により、ネットワーク装置によって、第3の時間長を有する時間領域リソース上でHARQ−ACKフィードバックメッセージを受信するステップの前に、本方法は、
ネットワーク装置によって、第3の時間長を示すために使用されるシグナリングを送信するステップ
をさらに含む。
【００１９】
場合により、ネットワークによって、第3の時間長を有する時間領域リソース上でHARQ−ACKフィードバックメッセージを受信するステップの前に、本方法は、
ネットワーク装置によって、少なくとも2つのダウンリンクデータチャネルを送信するステップであって、少なくとも2つのダウンリンクデータチャネルが、第1のデータチャネルと第2のデータチャネルとを含む、ステップ
をさらに含み、
HARQ−ACKフィードバックメッセージが、少なくとも2つのダウンリンクデータチャネルのすべてに対応する受信状態の論理および演算結果を用いて、第1の受信状態と第2の受信状態とを示す。
【００２０】
場合により、HARQ−ACKフィードバックメッセージが第1の確認応答情報と第2の確認応答情報とを含み、第1の確認応答情報が第1のデータチャネルに対応する第1の受信状態を示すために使用され、第2の確認応答情報が第2のデータチャネルに対応する第2の受信状態を示すために使用され、
HARQ−ACKフィードバックメッセージにおいて、第1の確認応答情報は、第2の確認応答情報の後にある。
【００２１】
場合により、第1のデータチャネルはM個のデータチャネルのうちの1つであり、第2のデータチャネルはN個のデータチャネルのうちの1つであり、MおよびNは正の整数であり、
ネットワーク装置によって、第3の時間長を有する時間領域リソース上でHARQ−ACKフィードバックメッセージを受信するステップの前に、本方法は、
ネットワーク装置によって、M個のデータチャネルを送信するステップであって、第1の確認応答情報が、M個のデータチャネルのすべてに対応する受信状態の論理および演算結果を示すために使用される、ステップ、ならびに／または
ネットワーク装置によって、N個のデータチャネルを送信するステップであって、第2の確認応答情報が、N個のデータチャネルのすべてに対応する受信状態の論理および演算結果を示すために使用される、ステップ
をさらに含む。
【００２２】
場合により、HARQ−ACKフィードバックメッセージはX個の確認応答情報を含み、X個の確認応答情報は第1の確認応答情報と第2の確認応答情報とを含み、X個の確認応答情報はX個のデータチャネルに対応する受信状態をそれぞれ示し、X個のデータチャネルは第1のデータチャネルと第2のデータチャネルとを含み、Xは2以上の整数である。
【００２３】
場合により、X個のデータチャネルは、P個の受信データチャネルと（X−P）個の未受信データチャネルとを含み、X個の確認応答情報におけるP個の確認応答情報は、P個の受信データチャネルに対応する受信状態を示すためにそれぞれ使用され、X個の確認応答情報における（X−P）個の確認応答情報は、（X−P）個の未受信データチャネルに対応する受信状態を示すためにそれぞれ使用され、（X−P）個の未受信データチャネルに対応する受信状態は、NACKまたはDTXであり、Pは整数であり、P≦Xであり、
第1のデータチャネルは、P個の受信データチャネルのうちの1つである、または（X−P）個の未受信データチャネルのうちの1つであり、
第2のデータチャネルは、P個の受信データチャネルのうちの1つである、または（X−P）個の未受信データチャネルのうちの1つである。
【００２４】
場合により、ネットワーク装置によって、HARQ−ACKフィードバックメッセージに基づいて、第1のデータチャネルに対応する第1の受信状態と第2のデータチャネルに対応する第2の受信状態とを判定するステップが、
ネットワーク装置によって、HARQ−ACKフィードバックメッセージと、HARQ−ACKフィードバックメッセージを運ぶ物理アップリンク制御チャネルPUCCHリソースとに基づいて、第1のデータチャネルに対応する第1の受信状態と第2のデータに対応する第2の受信状態とを判定するステップ
を含む。
【００２５】
場合により、第1のデータチャネルおよび第2のデータチャネルは、第1のサービングセルに位置し、
HARQ−ACKフィードバックメッセージは、第3のデータチャネルに対応する第3の受信状態を示すためにさらに使用され、第3のデータチャネルは、第2のサービングセルに位置する。
【００２６】
第3の実施態様によれば、
第1のデータチャネルに対応する第1の受信状態と、第2のデータチャネルに対応する第2の受信状態と、を判定し、ハイブリッド自動再送要求確認応答HARQ−ACKフィードバックメッセージを生成し、HARQ−ACKフィードバックメッセージが、第1のデータチャネルに対応する第1の受信状態と第2のデータチャネルに対応する第2の受信状態とを示すために少なくとも使用され、第1のデータチャネルが占有する時間領域リソースの長さが第1の時間長であり、第2のデータチャネルが占有する時間領域リソースの長さが第2の時間長であり、第1の時間長が第2の時間長未満である、ように構成される、プロセッサと、
第3の時間長を有する時間領域リソース上でHARQ−ACKフィードバックメッセージを送信するように構成される送受信機と、
を備える、端末装置が提供される。
【００２７】
第4の実施態様によれば、
第1のデータチャネルに対応する第1の受信状態と、第2のデータチャネルに対応する第2の受信状態と、を判定し、ハイブリッド自動再送要求確認応答HARQ−ACKフィードバックメッセージを生成し、HARQ−ACKフィードバックメッセージが、第1のデータチャネルに対応する第1の受信状態と第2のデータチャネルに対応する第2の受信状態とを示すために少なくとも使用され、第1のデータチャネルが占有する時間領域リソースの長さが第1の時間長であり、第2のデータチャネルが占有する時間領域リソースの長さが第2の時間長であり、第1の時間長が第2の時間長未満である、ように構成される、処理モジュールと、
第3の時間長を有する時間領域リソース上でHARQ−ACKフィードバックメッセージを送信するように構成される送受信機モジュールと、
を備える、別の端末装置が提供される。
【００２８】
さらに、第3の実施態様の端末装置および第4の実施態様の端末装置は、以下の任意の実装をさらに含むことができる。
【００２９】
場合により、送受信機または送受信機モジュールは、第3の時間長を有する時間領域リソース上でHARQ−ACKフィードバックメッセージを送信する前に、第3の時間長を示すために使用されるシグナリングを受信するように構成される。
【００３０】
場合により、送受信機または送受信機モジュールは、プロセッサまたは処理モジュールが、HARQ−ACKフィードバックメッセージを生成する前に、少なくとも2つのダウンリンクデータチャネルを受信し、少なくとも2つのダウンリンクデータチャネルが、第1のデータチャネルと第2のデータチャネルとを含む、ように構成され、
HARQ−ACKフィードバックメッセージが、少なくとも2つのダウンリンクデータチャネルのすべてに対応する受信状態の論理および演算結果を用いて、第1の受信状態と第2の受信状態とを示す。
【００３１】
場合により、HARQ−ACKフィードバックメッセージが第1の確認応答情報と第2の確認応答情報とを含み、第1の確認応答情報が第1のデータチャネルに対応する第1の受信状態を示すために使用され、第2の確認応答情報が第2のデータチャネルに対応する第2の受信状態を示すために使用され、
HARQ−ACKフィードバックメッセージにおいて、第1の確認応答情報は、第2の確認応答情報の後にある。
【００３２】
場合により、第1のデータチャネルはM個のデータチャネルのうちの1つであり、第2のデータチャネルはN個のデータチャネルのうちの1つであり、MおよびNは正の整数であり、
送受信機または送受信機モジュールは、プロセッサまたは処理モジュールがHARQ−ACKフィードバックメッセージを生成する前に、M個のデータチャネルを受信し、第1の確認応答情報が、M個のデータチャネルのすべてに対応する受信状態の論理および演算結果を示すために使用される、ように構成される、ならびに／または
N個のデータチャネルを受信し、第2の確認応答情報が、N個のデータチャネルのすべてに対応する受信状態の論理および演算結果を示すために使用される、ように構成される。
【００３３】
場合により、HARQ−ACKフィードバックメッセージはX個の確認応答情報を含み、X個の確認応答情報は第1の確認応答情報と第2の確認応答情報とを含み、X個の確認応答情報はX個のデータチャネルに対応する受信状態をそれぞれ示し、X個のデータチャネルは第1のデータチャネルと第2のデータチャネルとを含み、Xは2以上の整数である。
【００３４】
場合により、X個のデータチャネルは、P個の受信データチャネルと（X−P）個の未受信データチャネルとを含み、X個の確認応答情報におけるP個の確認応答情報は、P個の受信データチャネルに対応する受信状態を示すためにそれぞれ使用され、X個の確認応答情報における（X−P）個の確認応答情報は、（X−P）個の未受信データチャネルに対応する受信状態を示すためにそれぞれ使用され、（X−P）個の未受信データチャネルに対応する受信状態は、NACKまたはDTXであり、Pは整数であり、P≦Xであり、
第1のデータチャネルは、P個の受信データチャネルのうちの1つである、または（X−P）個の未受信データチャネルのうちの1つであり、
第2のデータチャネルは、P個の受信データチャネルのうちの1つである、または（X−P）個の未受信データチャネルのうちの1つである。
【００３５】
場合により、プロセッサまたは処理モジュールは、送受信機または送受信機モジュールが第3の時間長を有する時間領域リソース上でHARQ−ACKフィードバックメッセージを送信する前に、第1のデータチャネルに対応する第1の受信状態と第2のデータチャネルに対応する第2の受信状態とに基づいて、物理アップリンク制御チャネルPUCCHリソースを判定し、PUCCHリソースは、第3の時間長を有する時間領域上に位置する、ように構成され、
送受信機または送受信機モジュールは、判定されたPUCCHリソース上でHARQ−ACKフィードバックメッセージを送信するように構成される。
【００３６】
場合により、第1のデータチャネルおよび第2のデータチャネルは、第1のサービングセルに位置し、
HARQ−ACKフィードバックメッセージは、第3のデータチャネルに対応する第3の受信状態を示すためにさらに使用され、第3のデータチャネルは、第2のサービングセルに位置する。
【００３７】
第5の実施態様によれば、
第3の時間長を有する時間領域リソース上でHARQ−ACKフィードバックメッセージを受信し、HARQ−ACKフィードバックメッセージが、第1のデータチャネルに対応する第1の受信状態と第2のデータチャネルに対応する第2の受信状態とを示すために少なくとも使用され、第1のデータチャネルが占有する時間領域リソースの長さは第1の時間長であり、第2のデータチャネルが占有する時間領域リソースの長さは第2の時間長であり、第1の時間長は第2の時間長未満である、ように構成される送受信機と、
HARQ−ACKフィードバックメッセージに基づいて、第1のデータチャネルに対応する第1の受信状態と第2のデータチャネルに対応する第2の受信状態とを判定するように構成されるプロセッサと、
を備える、ネットワーク装置が提供される。
【００３８】
第6の実施態様によれば、
第3の時間長を有する時間領域リソース上でHARQ−ACKフィードバックメッセージを受信し、HARQ−ACKフィードバックメッセージが、第1のデータチャネルに対応する第1の受信状態と第2のデータチャネルに対応する第2の受信状態とを示すために少なくとも使用され、第1のデータチャネルが占有する時間領域リソースの長さは第1の時間長であり、第2のデータチャネルが占有する時間領域リソースの長さは第2の時間長であり、第1の時間長は第2の時間長未満である、ように構成される送受信機モジュールと、
HARQ−ACKフィードバックメッセージに基づいて、第1のデータチャネルに対応する第1の受信状態と第2のデータチャネルに対応する第2の受信状態とを判定するように構成される処理モジュールと、
を備える、別のネットワーク装置が提供される。
【００３９】
さらに、第5の実施態様のネットワーク装置および第6の実施態様のネットワーク装置は、以下の任意の実装をさらに含むことができる。
【００４０】
場合により、送受信機または送受信機モジュールは、第3の時間長を有する時間領域リソース上でHARQ−ACKフィードバックメッセージを受信する前に、第3の時間長を示すために使用されるシグナリングを送信するように構成される。
【００４１】
場合により、送受信機または送受信機モジュールは、第3の時間長を有する時間領域リソース上でHARQ−ACKフィードバックメッセージを受信する前に、少なくとも2つのダウンリンクデータチャネルを送信し、少なくとも2つのダウンリンクデータチャネルが、第1のデータチャネルと第2のデータチャネルとを含む、ように構成され、
HARQ−ACKフィードバックメッセージが、少なくとも2つのダウンリンクデータチャネルのすべてに対応する受信状態の論理および演算結果を用いて、第1の受信状態と第2の受信状態とを示す。
【００４２】
場合により、HARQ−ACKフィードバックメッセージが第1の確認応答情報と第2の確認応答情報とを含み、第1の確認応答情報が第1のデータチャネルに対応する第1の受信状態を示すために使用され、第2の確認応答情報が第2のデータチャネルに対応する第2の受信状態を示すために使用され、
HARQ−ACKフィードバックメッセージにおいて、第1の確認応答情報は、第2の確認応答情報の後にある。
【００４３】
場合により、第1のデータチャネルはM個のデータチャネルのうちの1つであり、第2のデータチャネルはN個のデータチャネルのうちの1つであり、MおよびNは正の整数であり、
送受信機または送受信機モジュールは、第3の時間長を有する時間領域リソース上でHARQ−ACKフィードバックメッセージを受信する前に、M個のデータチャネルを送信し、第1の確認応答情報が、M個のデータチャネルのすべてに対応する受信状態の論理および演算結果を示すために使用される、ように構成される、ならびに／または
N個のデータチャネルを送信し、第2の確認応答情報が、N個のデータチャネルのすべてに対応する受信状態の論理および演算結果を示すために使用される、ように構成される。
【００４４】
場合により、HARQ−ACKフィードバックメッセージはX個の確認応答情報を含み、X個の確認応答情報は第1の確認応答情報と第2の確認応答情報とを含み、X個の確認応答情報はX個のデータチャネルに対応する受信状態をそれぞれ示し、X個のデータチャネルは第1のデータチャネルと第2のデータチャネルとを含み、Xは2以上の整数である。
【００４５】
場合により、X個のデータチャネルは、P個の受信データチャネルと（X−P）個の未受信データチャネルとを含み、X個の確認応答情報におけるP個の確認応答情報は、P個の受信データチャネルに対応する受信状態を示すためにそれぞれ使用され、X個の確認応答情報における（X−P）個の確認応答情報は、（X−P）個の未受信データチャネルに対応する受信状態を示すためにそれぞれ使用され、（X−P）個の未受信データチャネルに対応する受信状態は、NACKまたはDTXであり、Pは整数であり、P≦Xであり、
第1のデータチャネルは、P個の受信データチャネルのうちの1つである、または（X−P）個の未受信データチャネルのうちの1つであり、
第2のデータチャネルは、P個の受信データチャネルのうちの1つである、または（X−P）個の未受信データチャネルのうちの1つである。
【００４６】
場合により、プロセッサまたは処理モジュールは、HARQ−ACKフィードバックメッセージと、HARQ−ACKフィードバックメッセージを運ぶ物理アップリンク制御チャネルPUCCHリソースとに基づいて、第1のデータチャネルに対応する第1の受信状態と第2のデータに対応する第2の受信状態とを判定するように構成される。
【００４７】
場合により、第1のデータチャネルおよび第2のデータチャネルは、第1のサービングセルに位置し、
HARQ−ACKフィードバックメッセージは、第3のデータチャネルに対応する第3の受信状態を示すためにさらに使用され、第3のデータチャネルは、第2のサービングセルに位置する。
【００４８】
本発明の実施形態における技術的解決策を使用することにより、端末装置によって生成されたHARQ−ACKフィードバックメッセージは、第1のデータチャネルに対応する第1の受信状態と、第2のデータチャネルに対応する第2の受信状態とを示すために少なくとも使用され、第1のデータチャネルが占有する時間領域リソースの第1の長さは、第2のデータチャネルが占有する時間領域リソースの第2の長さとは異なる。したがって、端末装置は、複数のデータチャネルの受信状態のための複数のフィードバックメッセージをそれぞれ送信する必要がなく、1つのHARQ−ACKフィードバックメッセージを用いて、異なる長さの時間領域リソースを占有する複数のデータチャネルに対応する受信状態を効率的にフィードバックすることができ、それによって、通信サービス品質を確保できる。
【図面の簡単な説明】
【００４９】
【図１】本発明の一実施形態による、通信シナリオの図である。
【図２】本発明の一実施形態による第1の概略図である。
【図３】本発明の一実施形態による第2の概略図である。
【図４】本発明の一実施形態による第3の概略図である。
【図５】本発明の一実施形態による第4の概略図である。
【図６】本発明の一実施形態による第1の端末装置の概略的な構成図である。
【図７】本発明の一実施形態による第2の端末装置の概略的な構成図である。
【図８】本発明の一実施形態による第1のネットワーク装置の概略的な構成図である。
【図９】本発明の一実施形態による第2のネットワーク装置の概略的な構成図である。
【発明を実施するための形態】
【００５０】
以下、本発明の実施形態における添付の図面を参照しながら、本発明の実施形態における技術的な解決策を明確かつ完全に説明する。当然のことながら、説明される実施形態は、本発明の実施形態の一部に過ぎず、すべてではない。本発明の実施形態に基づいて、当業者によって創造的努力なしに得られるすべての他の実施形態は、本発明の保護範囲内に含まれるものとする。
【００５１】
本発明の実施形態は、様々な通信システム、例えば、汎欧州デジタル移動電話方式（global system of mobile communication、GSM(登録商標)）、符号分割多元接続（code division multiple access、CDMA）、広帯域符号分割多元接続（wideband code division multiple access、WCDMA(登録商標)）、汎用パケット無線サービス（general packet radio service、GPRS）、およびロングタームエボリューション（Long Term Evolution、LTE）に適用できる。
【００５２】
本発明の実施形態は、ネットワーク装置と端末装置（terminal deviceまたはterminal equipment）とを含む無線通信システムに適用することができる。端末装置は、ユーザに音声および／またはデータ接続性を提供する装置、無線接続機能を有する携帯機器、あるいは無線モデムに接続された他の処理装置とすることができる。無線端末は、無線アクセスネットワーク（Radio Access Network、RAN）を通じて1つ以上のコアネットワークと通信できる。無線端末は、携帯電話（「セルラー」電話とも呼ぶ）などのモバイル端末およびモバイル端末を内蔵したコンピュータであってよく、例えば、無線アクセスネットワークで音声および／またはデータを交換する、ポータブル、ポケット型、携帯用、コンピュータ内蔵、もしくは車両搭載モバイル機器であってよい。例えば、無線端末は、パーソナル通信サービス（personal communication service、PCS）電話、コードレス電話機、セッション開始プロトコル（Session Initiation Protocol、SIP）電話、無線ローカルループ（wireless local loop、WLL）局、または携帯情報端末（personal digital assistant、PDA）などの装置であってよい。無線端末はまた、システム、加入者ユニット（subscriber unit、SU）、加入者局（subscriber station、SS）、移動局（mobile station、MS）、リモートステーション（remote station、RS）、アクセスポイント（access point、AP）、リモート端末（remote terminal、RT）、アクセス端末（access terminal、AT）、ユーザ端末（user terminal、UT）、ユーザエージェント（user agent、UA）、ユーザ機器、またはユーザ機器（user equipment、UE）と呼ばれることもある。ネットワーク装置は、基地局、拡張基地局、スケジューリング機能を有するリレー、基地局機能を有する装置などであってもよい。基地局は、LTEシステム内の発展型NodeB（evolved NodeB、eNBまたはeNodeB）であってもよいし、別のシステム内
の基地局であってもよい。このことは、本発明の実施形態において限定されない。
【００５３】
当業者が本発明の実施形態における解決策をより良く理解することができるように、以下、添付の図面と実施とを参照しながら、本発明の実施形態をさらに説明する。
【００５４】
図1は、本発明の一実施形態を実装できる、通信システムのシナリオの概略図である。図1の通信システムは、本発明の本実施形態をより明確に説明し、本発明の本実施形態を実装できるようするために提供されたに過ぎず、本発明の本実施形態の適用範囲を限定することを意図するものではないことに留意されたい。本発明の本実施形態は、他の通信システムにさらに適用することができ、より多くの端末装置またはより多くのネットワーク装置を含むことができ、当然のことながら、ネットワーク装置または端末装置を含まなくてもよい。
【００５５】
例えば、図1は、LTEシステムにおける発展型NodeB（evolved NodeB、eNBまたはeNodeB）およびユーザ機器（user equipment、UE）を説明している。UEは、eNBからデータを受信し、次いで、データの受信状態をeNBにフィードバックすることができる。本発明の本実施形態は、端末装置間でデータを送信し、データの受信状態をフィードバックするシナリオ、およびネットワーク装置間でデータを送信し、データの受信状態をフィードバックするシナリオにさらに適用してもよいことに留意されたい。
【００５６】
既存のLTEシステムでは、1つの無線フレームは10個のサブフレーム（subframe）を含み、各サブフレームの長さは1ミリ秒であり、各サブフレームは2個のタイムスロット（slot）を含み、各タイムスロットは0．5ミリ秒である。
【００５７】
各タイムスロットに含まれるシンボルの数は、サブフレーム内のサイクリックプレフィックス（cyclic prefix、CP）の長さに関連付けられる。CPが標準（normal）CPである場合、各スロットは7シンボルを含み、各サブフレームは14個のシンボルを含む。例えば、各サブフレームは、＃0、＃1、＃2、＃3、＃4、＃5、＃6、＃7、＃8、＃9、＃10、＃11、＃12、および＃13と番号を付与されたシンボルを含む。CPが拡張（extended）CPである場合、各タイムスロットは6個のシンボルを含み、各サブフレームは12個のシンボルを含む。例えば、各サブフレームは、＃0、＃1、＃2、＃3、＃4、＃5、＃6、＃7、＃8、＃9、＃10、および＃11と番号を付与されたシンボルを含む。
【００５８】
本発明の本実施形態では、アップリンクシンボルとダウンリンクシンボルとの両方をシンボルと簡単に呼ぶ。アップリンクシンボルは、シングルキャリア周波数分割多元接続（single carrier−frequency division multiple access、SC−FDMA）シンボルと呼ばれ、ダウンリンクシンボルは、直交周波数分割多重（orthogonal frequency division multiplexing、OFDM）シンボルと呼ばれる。後の技術が、直交周波数分割多元接続（orthogonal frequency division multiple access、OFDMA）のアップリンク多元アクセス方式を導入する場合、アップリンクシンボルはまた、別のタイプのシンボル、例えばOFDMシンボルと呼ばれ得ることに留意されたい。本発明の本実施形態では、アップリンク多元アクセス方式およびダウンリンク多元アクセス方式は限定されない。
【００５９】
将来の発展した通信システムでは、レイテンシ（latency）を短くするために、サブフレームの長さは、例えば0．2ms、0．25ms、またはより小さい値に減らされる可能性がある。本発明の本実施形態では、サブフレームの時間長およびシンボルの時間長は限定されない。
【００６０】
図2は、本発明の一実施形態による、フィードバックメッセージ送信および処理方法の流れ図である。図2の実施形態は、端末装置がネットワーク装置からダウンリンクデータチャネルを受信し、ダウンリンクデータチャネルに対応する受信状態をフィードバックする例を用いて説明されることに留意されたい。ただし、本発明の本実施形態はこれに限定されるものではなく、データを受信し、データの受信状態をフィードバックする任意の通信シナリオが、本発明の本実施形態で提供される技術的解決方法に適用可能である。
【００６１】
ステップ201：端末装置は、第1のデータチャネルに対応する第1の受信状態と第2のデータチャネルに対応する第2の受信状態とを判定する。
【００６２】
例えば、第1のデータチャネルと第2のデータチャネルとの両方がPDSCHであり、端末装置は、第1のPDSCHに対応する第1の受信状態と、第2のPDSCHに対応する第2の受信状態とを判定する。本発明の本実施形態では、データチャネルの受信状態をフィードバックする技術的解決策が、ダウンリンク制御チャネルの受信状態のフィードバックにも適用可能であることに留意されたい。例えば、ダウンリンク制御チャネルは、ダウンリンクセミパーシステントスケジューリングリリース（Semi−Persistent Scheduling Release、SPSリリース）シグナリングを運ぶ。
【００６３】
ステップ202：端末装置は、ハイブリッド自動再送要求確認応答HARQ−ACKフィードバックメッセージを生成し、HARQ−ACKフィードバックメッセージが、第1のデータチャネルに対応する第1の受信状態と第2のデータチャネルに対応する第2の受信状態とを示すために少なくとも使用され、第1のデータチャネルが占有する時間領域リソースの長さは第1の時間長であり、第2のデータチャネルが占有する時間領域リソースの長さは第2の時間長であり、第1の時間長は第2の時間長未満である。
【００６４】
ステップ203：端末装置は、第3の時間長を有する時間領域リソース上でHARQ−ACKフィードバックメッセージを送信する。
【００６５】
ステップ204：ネットワーク装置は、HARQ−ACKフィードバックメッセージを受信する。
【００６６】
ステップ205：ネットワーク装置は、HARQ−ACKフィードバックメッセージに基づいて、第1のデータチャネルに対応する第1の受信状態と第2のデータチャネルに対応する第2の受信状態とを判定する。
【００６７】
場合により、データチャネルの受信状態は、確認応答（acknowledgement、ACK）または否定応答（negative acknowledgement、NACK）である。場合により、データチャネルの受信状態は、ACK、NACK、または間欠送信（discontinuous transmission、DTX）である。例えば、第1のデータチャネルが正しく受信されたと端末装置が判定した場合、第1の受信状態はACKである。あるいは、第1のデータチャネルが正しく受信されなかったと端末装置が判定した場合、第1の受信状態はNACKである。あるいは、第1のデータチャネルが受信されていないと端末装置が判定した場合、第1の受信状態はDTXである。あるいは、第1のデータチャネルが受信されていないと端末装置が判定した場合、第1の受信状態はNACKであり、換言すれば、データチャネルがなんら受信されていないことを示すためにNACKが使用される。第2の受信状態は、第2のデータチャネルに対応し、第1の受信状態と同様である。ここでは細部を繰り返し説明しない。
【００６８】
場合により、ACKは2進数で「1」で表され、NACKは2進数で「0」で表される。場合により、ACKは2進数で「1」で表され、NACKおよびDTXは2進数で「0」で表される。
【００６９】
場合により、第1の時間長および第2の時間長は、時間長集合Aに属する。時間長集合Aは、1シンボル、2シンボル、3シンボル、4シンボル、1 slot、1サブフレーム、およびnサブフレームの少なくとも2つの時間長を含み、nは1より大きい整数である。例えば、時間長集合Aは2シンボルと1サブフレームとを含む、または時間長集合Aは2シンボル、1 slot、および1サブフレームを含む。第1の時間長は第2の時間長未満である。例えば、第1の時間長は2シンボル、3シンボル、4シンボル、または1 slotであり、第2の時間長は1サブフレームである。あるいは、第1の時間長は2シンボル、3シンボル、または4シンボルであり、第2の時間長は1 slotである。あるいは、第1時間長は2シンボルであり、第2時間長は3シンボルまたは4シンボルである。
【００７０】
場合により、第3の時間長は、1シンボル、2シンボル、3シンボル、4シンボル、1 slot、1サブフレーム、またはnサブフレームであり、nは1より大きい整数である。場合により、第3の時間長は、第1の時間長または第2の時間長に等しい。第3の時間長が第1の時間長に等しい場合、比較的短いレイテンシを確保できる。第3の時間長が第2の時間長に等しい場合、より多くのエネルギーがHARQ−ACKフィードバックメッセージを送信するために使用され、それにより、可能な限り大きなアップリンクカバレッジエリアが確保され得る。
【００７１】
HARQ−ACKフィードバックメッセージが占有する時間領域リソースと、HARQ−ACKフィードバックメッセージに対応する第1のデータチャネルおよび第2のデータチャネルが占有する時間領域リソースのそれぞれとの時系列関係は、本発明の本実施形態では限定されないことに留意されたい。例えば、時系列関係は予め定義される、または時系列関係はシグナリングを用いて示される。端末装置は、時系列関係に基づいて、第1のデータチャネルおよび第2のデータチャネルに対応するHARQ−ACKフィードバックメッセージが位置する時間領域リソースを判定する。
【００７２】
場合により、端末装置が第3の時間長を有する時間領域リソース上でHARQ−ACKフィードバックメッセージを送信する前に、端末装置は、第3の時間長を示すために使用されるシグナリングを受信する。場合により、シグナリングは、物理層シグナリングまたは上位層シグナリングである。
【００７３】
場合により、ネットワーク装置が、第3の時間長を有する時間領域リソース上でHARQ−ACKフィードバックメッセージを受信する前に、本方法は、ネットワーク装置によって、第3の時間長を示すために使用されるシグナリングを送信するステップをさらに含む。
【００７４】
場合により、HARQ−ACKフィードバックメッセージは、PUCCHまたはPUSCHで運ばれる。
【００７５】
場合により、第1のデータチャネルおよび第2のデータチャネルは、第1のサービングセルに位置する。HARQ−ACKフィードバックメッセージは、第3のデータチャネルに対応する第3の受信状態を示すためにさらに使用され、第3のデータチャネルは、第2のサービングセルに位置する。ダウンリンクキャリアアグリゲーション（carrier aggregation、CA）が構成されている場合、端末装置は、複数のサービングセルにおけるダウンリンクデータチャネルを受信できる、すなわち、端末装置は、複数のダウンリンクキャリア上でダウンリンクデータチャネルを受信できることに留意されたい。本発明の本実施形態では、「サービングセル」は「ダウンリンクキャリア」に対応するとみなすことができる。
【００７６】
実装1
【００７７】
任意の実施形態では、端末装置がHARQ−ACKフィードバックメッセージを生成する前に、本方法は、端末装置によって、X個のデータチャネルを受信するステップであって、X個のデータチャネルが第1のデータチャネルと第2のデータチャネルとを含み、Xは2以上の整数である、ステップをさらに含む。HARQ−ACKフィードバックメッセージが、X個のデータチャネルに対応するX個の受信状態の論理および演算結果を用いて、第1の受信状態と第2の受信状態とを示す。この場合、ステップ202における「端末装置は、HARQ−ACKフィードバックメッセージを生成し、HARQ−ACKフィードバックメッセージが、第1のデータチャネルに対応する第1の受信状態と第2のデータチャネルに対応する第2の受信状態とを示すために少なくとも使用される」はまた、「端末装置は、HARQ−ACKフィードバックメッセージを生成し、HARQ−ACKフィードバックメッセージが、X個のデータチャネルに対応するX個の受信状態の論理および演算結果を示すために使用され、X個のデータチャネルに対応するX個の受信状態が、第1のデータチャネルに対応する第1の受信状態と第2のデータチャネルに対応する第2の受信状態とを含む」とも記載できる。論理および演算結果は、端末装置が受信したX個のデータチャネルに対応するX個の受信状態の論理および演算結果であるので、HARQ−ACKフィードバックメッセージは、論理および演算結果を用いて、第1のデータチャネルに対応する受信状態および第2のデータチャネルに対応する受信状態を示すだけでなく、論理および演算結果を用いて、X個のデータチャネルにおける第1のデータチャネルおよび第2のデータチャネル以外のデータチャネルに対応する受信状態を示す。例えば、X個のデータチャネルに対応する受信状態の論理および演算結果がACKである場合、X個のデータチャネルに対応するX個の受信状態のそれぞれはACKである。 X個のデータチャネルに対応する受信状態の論理および演算結果がNACKである場合、X個のデータチャネルに対応するX個の受信状態のうちの少なくとも1つはNACKである。
【００７８】
対応して、ネットワーク装置が、第3の時間長を有する時間領域リソース上でHARQ−ACKフィードバックメッセージを受信する前に、本方法は、ネットワーク装置によって、X個のデータチャネルを送信するステップであって、X個のデータチャネルが第1のデータチャネルと第2のデータチャネルとを含む、ステップをさらに含む。この場合、ステップ204はまた、「ネットワーク装置が、第3の時間長を有する時間領域リソース上でHARQ−ACKフィードバックメッセージを受信し、HARQ−ACKフィードバックメッセージが、X個のデータチャネルに対応するX個の受信状態の論理および演算結果を示すために使用される」とも記載できる。
【００７９】
場合により、X個のデータチャネルに対応するX個の受信状態はすべてACKであり、論理および演算結果はACKである。この場合、HARQ−ACKフィードバックメッセージは、第1のデータチャネルに対応する第1の受信状態と、第2のデータチャネルに対応する第2の受信状態との両方がACKであることを示す。場合により、X個のデータチャネルのうちの少なくとも1つに対応する受信状態がNACKであり、論理および演算結果はNACKである。例えば、第1の受信状態および第2の受信状態のうちの少なくとも一方がNACKであり、論理および演算結果がNACKである。この場合、HARQ−ACKフィードバックメッセージは、X個のデータチャネルに対応するX個の受信状態のうちの少なくとも1つがNACKであることを示す。
【００８０】
場合により、X個のデータチャネルは、第1のデータチャネルおよび第2のデータチャネルのみを含む。例えば、第1の受信状態および第2の受信状態の両方がACKである場合、第1の受信状態および第2の受信状態の論理および演算結果もACKであり、論理および演算結果は、第1の受信状態および第2の受信状態の両方がACKであることを示す。例えば、第1の受信状態および第2の受信状態のうちの少なくとも一方がNACKである場合、第1の受信状態および第2の受信状態の論理および演算結果はNACKであり、論理および演算結果は、第1の受信状態および第2の受信状態のうちの少なくとも一方がNACKであることを示す。ネットワーク装置は、HARQ−ACKフィードバックメッセージによって示される論理および演算結果がNACKである場合、第1のデータチャネルに対応する第1の受信状態および第2のデータチャネルに対応する第2の受信状態のうちの少なくとも1つがNACKであることを判定し得る。さらに、ネットワーク装置は、第1のデータチャネルおよび第2のデータチャネルを再送信する。
【００８１】
場合により、X個のデータチャネルの送信モードはすべて1つのコードワード（codeword）のみ、すなわち1つのトランスポートブロックのみをサポートし、HARQ−ACKフィードバックメッセージは、X個のダウンリンクデータチャネルに対応するX個の受信状態の論理および演算結果を示す1ビット情報を含む。場合により、1ビット情報はACKを示し、ネットワーク装置は、HARQ−ACKフィードバックメッセージに基づいて、第1の受信状態および第2の受信状態の両方がACKであると判定する。場合により、1ビット情報がNACKを示し、ネットワーク装置は、HARQ−ACKフィードバックメッセージに基づいて、第1の受信状態および第2の受信状態の両方がNACKである、または第1の受信状態および第2の受信状態のうちの少なくとも一方がNACKであると判定する。場合により、ACKは2進数で「1」で表され、NACKは2進数で「0」で表される。したがって、1ビット情報の2進値が1である場合、第1の受信状態と第2の受信状態との両方がACKであり、X個のデータチャネルに対応する受信状態はすべてACKである。1ビット情報の2進値が0である場合、X個のデータチャネルに対応するX個の受信状態のうちの少なくとも1つはNACKである。
【００８２】
場合により、X個のデータチャネルのうちの少なくとも1つの送信モードは、2つのコードワード（コードワード0およびコードワード1としてそれぞれ示される）、すなわち2つのトランスポートブロックをサポートする。HARQ−ACKフィードバックメッセージは、第1のビット情報および第2のビット情報として示される2ビット情報を少なくとも含む。第1のビット情報は、X個のデータチャネルのコードワード0に対応する受信状態の論理および演算結果を示し、第2のビット情報は、X個のデータチャネルのコードワード1に対応する受信状態の論理および演算結果を示す。1つのデータチャネルが1つのコードワードのみをサポートする場合、そのコードワードはコードワード0と記される、すなわちコードワード0に対応する受信状態のみが論理および演算処理に関与することに留意されたい。場合により、第1のビット情報はACKを示し、ネットワーク装置は、HARQ−ACKフィードバックメッセージに基づいて、第1のデータチャネルのコードワード0に対応する受信状態と、第2のデータチャネルのコードワード0に対応する受信状態との両方がACKであると判定する。あるいは、第1のビット情報はNACKを示し、ネットワーク装置は、HARQ−ACKフィードバックメッセージに基づいて、X個のデータチャネルのコードワード0に対応する受信状態のうちの少なくとも1つがNACKであると判定する。場合により、第2のビット情報はACKを示し、ネットワーク装置は、HARQ−ACKフィードバックメッセージに基づいて、第1のデータチャネルのコードワード1に対応する受信状態と、第2のデータチャネルのコードワード1に対応する受信状態との両方がACKであると判定する。あるいは、第2のビット情報はNACKを示し、ネットワーク装置は、HARQ−ACKフィードバックメッセージに基づいて、X個のデータチャネルのコードワード1に対応する受信状態のうちの少なくとも1つがNACKであると判定する。
【００８３】
図4に示すように、端末装置は、第1のダウンリンクデータチャネル、第2のダウンリンクデータチャネル、および第3のダウンリンクデータチャネルを受信する。第1のダウンリンクデータチャネルによって占有される時間領域リソースは、ダウンリンクサブフレームn＋2における第1のタイムスロットであり、第2のダウンリンクデータチャネルによって占有される時間領域リソースはダウンリンクサブフレームnであり、第3のダウンリンクデータチャネルによって占有される時間領域リソースは、ダウンリンクサブフレームn＋2における第2のタイムスロットである。端末装置は、アップリンクサブフレームn＋4でHARQ−ACKフィードバックメッセージを送信する。HARQ−ACKフィードバックメッセージは、第1のダウンリンクデータチャネル、第2のダウンリンクデータチャネル、および第3のダウンリンクデータチャネルに対応する受信状態の論理および演算結果を用いて、第1のダウンリンクデータチャネルに対応する受信状態と、第2のダウンリンクデータチャネルに対応する受信状態とを示す。当然のことながら、HARQ−ACKフィードバックメッセージは、論理および演算結果を用いて、第3のダウンリンクデータチャネルに対応する受信状態をさらに示す。
【００８４】
場合により、X個のダウンリンクデータチャネルは、同じサービングセルに位置する。
【００８５】
場合により、第1の時間長は2シンボル、3シンボル、4シンボル、または0．5msであり、第2の時間長は1msである。短い送信時間間隔（transmission time interval、TTI）モードが構成される場合、1ms時間長のダウンリンクデータチャネルが、バックオフメカニズムとして使用され、発生確率が比較的低い。したがって、端末装置が受信するほとんどのダウンリンクデータチャネルの時間長は1ms未満であり、ダウンリンクデータチャネルの時間長が1msであるものは少ない。この場合、HARQ−ACKフィードバックメッセージのビット数を減らし、HARQ−ACKフィードバックメッセージの受信性能を向上させるために、2つのダウンリンクデータチャネルの受信状態に対して論理および演算処理を行ってもよい。短いTTIは、TTI長が1ms未満のTTIである。
【００８６】
場合により、HARQ−ACKフィードバックメッセージは、数フィードバック情報をさらに示し、数フィードバック情報は、データチャネルに対応する受信状態のものであり、かつHARQ−ACKフィードバックメッセージによってフィードバックされる数を示すために使用される。データチャネルに対応する受信状態のものであり、かつHARQ−ACKフィードバックメッセージによってフィードバックされる数はまた、端末装置が受信するデータチャネルの数でもあることに留意されたい。ネットワーク装置は、ネットワーク装置から端末装置に送信されるデータチャネルの数を判定することができる。したがって、通信サービス品質をさらに確保にするために、ネットワーク装置は、HARQ−ACKフィードバックメッセージを受信すると、数フィードバック情報に基づいて、端末装置が受信したデータチャネルの数が正しいか否かを判定できる。
【００８７】
例えば、端末装置は未受信データチャネルを識別しない場合がある、つまり、端末装置は、未受信データチャネルが存在しないとみなす。したがって、端末装置は、未受信データチャネルに対応する受信状態を判断しない。HARQ−ACKフィードバックメッセージが、すべての受信データチャネルに対応する受信状態の論理および演算結果を用いてフィードバックを提供し、その論理および演算結果がACKである場合には、HARQ−ACKフィードバックメッセージは、未受信データチャネルに対応する受信状態も示さない。しかし、ネットワーク装置は、HARQ−ACKフィードバックメッセージに基づいて、ネットワーク装置によって送信されたすべてのデータチャネルに対応する受信状態がすべて正しいデータ受信を示すことを判定する。しかし、端末装置は未受信データチャネルを実際に受信しない。したがって、HARQ−ACKフィードバックメッセージが数フィードバック情報をさらに含む場合、数フィードバック情報によって示される数がネットワーク装置によって送信されたデータチャネルの数未満である場合、HARQ−ACKフィードバックメッセージが、すべての受信状態が正しいデータ受信を示すことを示すが、ネットワーク装置は、未受信データチャネルが存在することを把握している。したがって、端末装置がデータチャネルを見逃すのを防止し、通信サービス品質をさらに確保するために、ネットワーク装置は、未受信データチャネルを端末装置に再送信できる。
【００８８】
実装2
【００８９】
任意の実施形態では、HARQ−ACKフィードバックメッセージが、第1の確認応答情報と第2の確認応答情報とを含み、第1の確認応答情報が、第1のデータチャネルに対応する第1の受信状態を示すために使用され、第2の確認応答情報が、第2のデータチャネルに対応する第2の受信状態を示すために使用される。
【００９０】
場合により、ステップ205は、ネットワーク装置が、第1の確認応答情報に基づいて、第1のデータチャネルに対応する第1の受信状態を判定し、第2の確認応答情報に基づいて、第2のデータチャネルに対応する第2の受信状態を判定することを含む。
【００９１】
場合により、HARQ−ACKフィードバックメッセージにおいて、第1の確認応答情報および第2の確認応答情報は、第1のデータチャネルおよび第2のデータチャネルによって占有される時間領域リソースの長さに基づいて配置される。
【００９２】
場合により、HARQ−ACKフィードバックメッセージにおいて、第1の確認応答情報は、第2の確認応答情報の前にある。この場合、第1のデータチャネルが占有する時間領域リソースの長さは、第2のデータチャネルが占有する時間領域リソースの長さ未満であるので、第1の確認応答情報および第2の確認応答情報は、占有された時間領域リソースの長さの昇順に配置されることが考えられ得る。図3に示すように、第1のデータチャネルが占有する時間領域リソースは、ダウンリンクサブフレームn＋2における第1のタイムスロットであり、第2のデータチャネルが占有する時間領域リソースはダウンリンクサブフレームnであり、端末装置は、アップリンクサブフレームn＋4の第1のタイムスロット内でHARQ−ACKフィードバックメッセージを送信する。第1のデータチャネルによって占有される時間領域リソースの長さは、第2のデータチャネルによって占有される時間領域リソースの長さ未満である。したがって、生成されたHARQ−ACKフィードバックメッセージにおいて、第1の受信状態を示すために使用される第1の確認応答情報は、第2の受信状態を示すために使用される第2の確認応答情報の前にある。前方に位置する情報の復号成功率は、いくつかのチャネル符号化方式（例えば、RM（Reed−Muller）符号化）においてより高い。より短い時間長のダウンリンクデータチャネルがより高い発生確率を有する場合、より短い時間長のダウンリンクデータチャネルに対応する受信状態は、優先的に保護され得る。第1の時間長が第2の時間長未満であるので、第1の確認応答情報は第2の確認応答情報の前にあり、その結果、ネットワーク装置が第1の受信状態を正しく取得する確率が、第2の受信状態を正しく取得する確立よりも高いことが確保され得る。
【００９３】
場合により、HARQ−ACKフィードバックメッセージにおいて、第1の確認応答情報は、代替的に、第2の確認応答情報の後にある。この場合、第1のデータチャネルが占有する時間領域リソースの長さは、第2のデータチャネルが占有する時間領域リソースの長さ未満であるので、第1の確認応答情報および第2の確認応答情報は、占有された時間領域リソースの長さの降順に配置されることが考えられ得る。
【００９４】
場合により、HARQ−ACKフィードバックメッセージにおいて、第1の確認応答情報および第2の確認応答情報は、第1のデータチャネルおよび第2のデータチャネルの順に配置される。例えば、第1のデータチャネルによって占有される時間領域リソースが、第2のデータチャネルによって占有される時間領域リソースよりも前である場合、HARQ−ACKフィードバックメッセージにおいて、第1の確認応答情報は第2の確認応答情報の前にある。
【００９５】
場合により、HARQ−ACKフィードバックメッセージは、第3の確認応答情報をさらに含み、第3の確認応答情報は、第3のデータチャネルに対応する第3の受信状態を示し、第3のデータチャネルによって占有される時間領域リソースの長さが、第4の時間長である。例えば、第1の時間長は2シンボルであり、第2の時間長は1msであり、第4の時間長は0．5msである。占有された時間領域リソースの長さの降順では、第2の確認応答情報は第3の確認応答情報の前にあり、第3の確認応答情報は第1の確認応答情報の前にある。占有された時間領域リソースの長さの昇順では、第1の確認応答情報は第3の確認応答情報の前にあり、第3の確認応答情報は第2の確認応答情報の前にある。配置は、データチャネル受信順に行われる。受信順が第2のデータチャネル、第3のデータチャネル、および第1のデータチャネルであると仮定すると、第2の確認応答情報は第3の確認応答情報の前であり、第3の確認応答情報は第1の確認応答情報の前である。
【００９６】
場合により、端末装置がHARQ−ACKフィードバックメッセージを生成する前に、本方法は、端末装置によって、シグナリングを受信するステップであって、シグナリングは、HARQ−ACKフィードバックに含まれる複数の確認応答情報を配置する順番を示す、ステップと、端末装置によって、シグナリングに基づいて、複数の確認応答情報を配置する順番を判定するステップと、をさらに含む。例えば、端末装置は、シグナリングに基づいて、第1の確認応答情報と第2の確認応答情報とを配置する順番を判定する。シグナリングは、物理層シグナリングまたは上位層シグナリングである。
【００９７】
本発明の実施形態における技術的解決策を使用することにより、端末装置によって生成されたHARQ−ACKフィードバックメッセージは、第1のデータチャネルに対応する第1の受信状態と、第2のデータチャネルに対応する第2の受信状態とを示すために少なくとも使用され、第1のデータチャネルが占有する時間領域リソースの第1の長さは、第2のデータチャネルが占有する時間領域リソースの第2の長さとは異なる。したがって、端末装置は、1つのHARQ−ACKフィードバックメッセージを用いて、異なる長さの時間領域リソースを占有する複数のデータチャネルまたは複数のデータ送信に対応する受信状態を効率的にフィードバックすることができ、異なる時間領域リソースを占有する複数のデータチャネルに関して複数のフィードバックメッセージをそれぞれ送信する必要はなく、それによって、通信サービス品質を確保できる。
【００９８】
実装3
【００９９】
任意の実施形態では、HARQ−ACKフィードバックメッセージは、第1の確認応答情報と第2の確認応答情報とを含む。第1の確認応答情報は、M個のデータチャネルに対応する受信状態の論理および演算結果を示すために使用され、第2の確認応答情報は、N個のデータチャネルに対応する受信状態の論理および演算結果を示すために使用される。第1のデータチャネルはM個のデータチャネルのうちの1つであり、第2のデータチャネルはN個のデータチャネルの1つであり、MおよびNは正の整数である。M個のデータチャネルおよびN個のデータチャネルは、端末装置によって受信されるデータチャネルである。第1の確認応答情報および第2の確認応答情報を配置する順番については、実装2の説明を参照されたい。ここでは細部を繰り返し説明しない。
【０１００】
端末装置がHARQ−ACKフィードバックメッセージを生成する前に、端末装置はM個のデータチャネルを受信する、および／または端末装置はN個のデータチャネルを受信する。場合により、HARQ−ACKフィードバックメッセージはMおよびNの値をさらに示す。
【０１０１】
ネットワーク装置が第3の時間長を有する時間領域リソース上でHARQ−ACKフィードバックメッセージを受信する前に、本方法は、ネットワーク装置によってS個のデータチャネルを送信するステップ、および／またはネットワーク装置によってT個のデータチャネルを送信するステップであって、S個のデータチャネルがM個のデータチャネルを含み、T個のデータチャネルがN個のデータチャネルを含み、SがM以上の整数であり、TがN以上の整数である、ステップをさらに含む。
【０１０２】
場合により、S個のデータチャネルおよびT個のデータチャネルは、第1のサービングセルとして示される同じサービングセルに位置する。
【０１０３】
場合により、HARQ−ACKフィードバックメッセージは、端末装置によって受信され、かつ第1の確認応答情報に対応するデータチャネルの数Mをさらに示す、および／または端末装置によって受信され、かつ第2の確認応答情報に対応するデータチャネルの数Nをさらに示す。SがMに等しくない場合、ネットワーク装置は、端末装置が（S−M）個のデータチャネルを受信しないと判定する。TがNに等しくない場合、ネットワーク装置は、端末装置が（T−N）個のデータチャネルを受信しないと判断する。端末装置は、ネットワーク装置によって送信されたデータチャネルを見逃す可能性があるので、端末装置は、受信したデータチャネルの数を報告して、端末装置がデータチャネルを逃しているか否かネットワーク装置が判定するのを助け、その結果、ネットワーク装置がデータチャネルを再送信する。
【０１０４】
場合により、端末装置は、SおよびTの値を示すシグナリングを受信する。対応して、ネットワーク装置は、SおよびTの値を示すシグナリングを送信する。SがMに等しくない場合、端末装置は、第1の確認応答情報がNACKであると判定する。SがMに等しい場合、端末装置は、第1の確認応答情報が、M個のデータチャネルに対応する受信状態の論理および演算結果であると判定する。TがNに等しくない場合、端末装置は、第2の確認応答情報がNACKであると判定する。TがNに等しい場合、端末装置は、第2の確認応答情報が、N個のデータチャネルに対応する受信状態の論理および演算結果であると判定する。端末装置は、ネットワーク装置によって送信されたデータチャネルを見逃す可能性があるので、端末装置は、ネットワーク装置によって送信されたデータチャネルの数を示すシグナリングを受信して、端末装置がデータチャネルを逃しているか否か判定するのを助け、その結果、ネットワーク装置がデータチャネルを再送信する。
【０１０５】
場合により、第1の確認応答情報は、M個のデータチャネルに対応する受信状態の論理および演算結果を示すために使用される。場合により、M個のデータチャネルの送信モードは、すべて1つのコードワードのみをサポートし、第1の確認応答情報は1ビットである。場合により、M個のデータチャネルのうちの少なくとも1つの送信モードは、コードワード0およびコードワード1としてそれぞれ示される2つのコードワードをサポートする。第1の確認応答情報は2ビットであり、第1のビット情報および第2のビット情報として示される。第1のビット情報は、M個のデータチャネルのコードワード0に対応する受信状態の論理および演算結果を示し、第2のビット情報は、M個のデータチャネルのコードワード1に対応する受信状態の論理および演算結果を示す。
【０１０６】
場合により、第2の確認応答情報は、N個のデータチャネルに対応する受信状態の論理および演算結果を示すために使用される。場合により、N個のデータチャネルの送信モードは、すべて1つのコードワードのみをサポートし、第1の確認応答情報は1ビットである、すなわち、第1の確認応答情報のビット数は1である。場合により、N個のデータチャネルのうちの少なくとも1つの送信モードは、コードワード0およびコードワード1としてそれぞれ示される2つのコードワードをサポートする。第2の確認応答情報は2ビットであり、第1のビット情報および第2のビット情報として示される。第1のビット情報は、N個のデータチャネルのコードワード0に対応する受信状態の論理および演算結果を示し、第2のビット情報は、N個のデータチャネルのコードワード1に対応する受信状態の論理および演算結果を示す。
【０１０７】
場合により、第1の確認応答情報は、M個のデータチャネルに対応する受信状態に対して、論理および演算処理ならびに空間的バンドリング（spatial bundling）操作が行われた後に得られた結果を示すために使用される。この場合、第1の確認応答情報のビット数は1である。場合により、第2の確認応答情報は、N個のデータチャネルに対応する受信状態の論理および演算ならびに空間的バンドリング操作が行われた後に得られた結果を示すために使用される。この場合、第2の確認応答情報のビット数は1である。空間バンドリングとは、複数のコードワード、例えば1つのダウンリンクデータの2つのコードワードの受信状態に対して論理および演算処理を行うことをいう。1つのダウンリンクデータが1つのコードワードのみを有するとき、それは空間バンドリング操作がないことと等価であることに留意されたい。
【０１０８】
場合により、M個のデータチャネルによって占有される時間領域リソースの長さは同じである。例えば、M個のデータチャネルによって占有される時間領域リソースの長さはすべて、第1の時間長である。場合により、S個のデータチャネルによって占有される時間領域リソースの長さは同じである。例えば、S個のデータチャネルによって占有される時間領域リソースの長さはすべて、第1の時間長である。
【０１０９】
場合により、N個のデータチャネルによって占有される時間領域リソースの長さは同じである。例えば、N個のデータチャネルによって占有される時間領域リソースの長さはすべて、第2の時間長である。場合により、T個のデータチャネルによって占有される時間領域リソースの長さは同じである。例えば、T個のデータチャネルによって占有される時間領域リソースの長さはすべて、第2の時間長である。
【０１１０】
場合により、M個のデータチャネルにおけるいくつかのデータチャネルによって占有される時間領域リソースの長さは、3シンボルであり、他のデータチャネルによって占有される時間領域リソースの長さは4シンボルである。あるいは、S個のデータチャネルにおけるいくつかのデータチャネルによって占有される時間領域リソースの長さは、3シンボルであり、他のデータチャネルによって占有される時間領域リソースの長さは4シンボルである。つまり、第1の時間長は3シンボルまたは4シンボルである。
【０１１１】
場合により、N個のデータチャネルにおけるいくつかのデータチャネルによって占有される時間領域リソースの長さは、3シンボルであり、他のデータチャネルによって占有される時間領域リソースの長さは4シンボルである。あるいは、T個のデータチャネルにおけるいくつかのデータチャネルによって占有される時間領域リソースの長さは、3シンボルであり、他のデータチャネルによって占有される時間領域リソースの長さは4シンボルである。つまり、第2の時間長は3シンボルまたは4シンボルである。
【０１１２】
場合により、M個のデータチャネルによって占有される時間領域リソースの長さはすべて1ミリ秒未満であり、N個のデータチャネルによって占有される時間領域リソースの長さは1ミリ秒である。場合により、S個のデータチャネルによって占有される時間領域リソースの長さはすべて1ミリ秒未満であり、T個のデータチャネルによって占有される時間領域リソースの長さは1ミリ秒である。
【０１１３】
場合により、データ受信状態が1つのみである場合、データ受信状態の論理および演算結果はデータ受信状態自体である。例えば、Mが1に等しいとき、M個のデータチャネルにおけるすべてのデータチャネルに対応する受信状態の論理および演算結果は、データチャネルに対応する受信状態である。例えば、Nが1に等しいとき、N個のデータチャネルにおけるすべてのデータチャネルに対応する受信状態の論理および演算結果は、データチャネルに対応する受信状態である。
【０１１４】
図5に示すように、第1のデータチャネルによって占有される時間領域リソースは、ダウンリンクサブフレームn＋2における第1のタイムスロットであり、第2のデータチャネルによって占有される時間領域リソースはダウンリンクサブフレームnであり、第3のデータチャネルによって占有される時間領域リソースは、ダウンリンクサブフレームn＋2における第2のタイムスロットである。Mが2に等しい場合、M個のデータチャネルは第1のデータチャネルと第3のデータチャネルとを含み、M個のデータチャネルが占有する時間領域リソースの長さはすべて1タイムスロットまたは0．5msである。第1の確認応答情報は、第1のデータチャネルに対応する受信状態の論理および演算結果と第3のデータチャネルに対応する受信状態の論理および演算結果とを示すために使用される。Nは1に等しく、N個のデータチャネルは第2のデータチャネルのみを含み、第2の確認応答情報は第2のデータチャネルに対応する受信状態を示すために使用される。
【０１１５】
異なる時間長のデータチャネルは異なる性能を有し得るため、異なる時間長のデータチャネルの受信状態に対して論理および演算処理を別々に行うことができる。加えて、本実施形態の方法によれば、論理および演算結果が占有するビット数が比較的少ないため、HARQ−ACKフィードバックメッセージのオーバーヘッドを減らすことができる。
【０１１６】
実装4
【０１１７】
任意の実施形態では、HARQ−ACKフィードバックメッセージは、X個の確認応答情報を含み、X個の確認応答情報は、第1の確認応答情報と第2の確認応答情報とを含む。X個の確認応答情報は、X個のデータチャネルに対応する受信状態をそれぞれ示し、第1の確認応答情報は第1のデータチャネルの第1の受信状態を示し、第2の確認応答情報は第2のデータチャネルの第2の受信状態を示し、X個のデータチャネルは、第1のデータチャネルと第2のデータチャネルとを含み、Xは2以上の整数である。
【０１１８】
第1の確認応答情報および第2の確認応答情報を配置する順番については、実装2の説明を参照されたい。ここでは細部を繰り返し説明しない。X個の確認応答情報における複数のデータチャネルが占有する時間領域リソースの時間長が同じ場合、複数のデータチャネルに対応する複数の確認応答情報がデータチャネル受信順に配置されることに留意されたい。
【０１１９】
場合により、X個のデータチャネルは、同じサービングセル（第1のサービングセルとして示される）に位置する。
【０１２０】
場合により、X個の確認応答情報における任意の2つの確認応答情報のビット数は同じであり、1または2である。場合により、X個の確認応答情報における少なくとも2つの確認応答情報のビット数は異なる。
【０１２１】
場合により、第1の確認応答情報のビット数と第2の確認応答情報のビット数は、別々に構成される。場合により、第1の確認応答情報のビット数と第2の確認応答情報のビット数とは、同じであってもよいし、異なっていてもよい。例えば、端末装置は、第1のデータチャネルの送信モードに基づいて第1の確認応答情報のビット数を構成し、第2のデータチャネルの送信モードに基づいて第2の確認応答情報のビット数を構成する。第1のデータチャネルの送信モードが1つのトランスポートブロックのみをサポートする場合、第1の確認応答情報は1ビットであり、第1のデータチャネルの送信モードが2つのトランスポートブロックをサポートする場合、第1の確認応答情報は2ビットである。第2のデータチャネルの送信モードが1つのトランスポートブロックのみをサポートする場合、第2の確認応答情報は1ビットであり、第2のデータチャネルの送信モードが2つのトランスポートブロックをサポートする場合、第2の確認応答情報は2ビットである。ネットワーク装置は、第1のデータチャネルおよび第2のデータチャネルに対して異なる送信モードを構成することができるので、第1の確認応答情報のビット数と第2の確認応答情報のビット数とを別々に構成することがより柔軟である。
【０１２２】
場合により、X個のデータチャネルは、P個の受信データチャネルと（X−P）個の未受信データチャネルとを含み、X個の確認応答情報におけるP個の確認応答情報は、P個の受信データチャネルに対応する受信状態を示すためにそれぞれ使用され、X個の確認応答情報における（X−P）個の確認応答情報は、（X−P）個の未受信データチャネルに対応する受信状態を示すためにそれぞれ使用され、（X−P）個の未受信データチャネルに対応する受信状態は、NACKまたはDTXであり、Pは整数であり、P≦Xである。受信データチャネルは、端末装置が受信したデータチャネルであり、未受信データチャネルは、端末装置が受信していないデータチャネルであることに留意されたい。第1のデータチャネルは、P個の受信データチャネルのうちの1つである、または（X−P）個の未受信データチャネルのうちの1つである。第2のデータチャネルは、P個の受信データチャネルのうちの1つである、または（X−P）個の未受信データチャネルのうちの1つである。PがXに等しい場合、X個のデータチャネルはすべて受信データチャネルであることに留意されたい。
【０１２３】
場合により、データチャネルが制御チャネルを使用してスケジュールされるので、端末装置は、データチャネルが存在するかどうかを判定するために、制御チャネルが存在するか否かを検出できる。端末装置が特定の制御チャネルを検出しない場合、端末装置は制御チャネルを使用してスケジュールされたデータチャネルを受信しない。端末装置が特定の制御チャネルを検出した場合、端末装置は、制御チャネルを使用してスケジューリングされたデータチャネルを受信する。データチャネルをさらに復号した後、端末装置は、データチャネルを正しく受信したか否かを判定する。加えて、端末装置は、データチャネルの総数における受信データチャネル以外のデータチャネルのHARQ−ACK情報をNACKまたはDTXとして判定するために、受信する必要のあるデータチャネルの総数を取得できる。
【０１２４】
場合により、X個のデータチャネルはM個のデータチャネルとN個のデータチャネルとを含み、第1のデータチャネルはM個のデータチャネルのうちの1つであり、第2のデータチャネルはN個のデータチャネルの1つであり、MおよびNは正の整数である。M個のデータチャネルが占有する時間領域リソースの長さおよびN個のデータチャネルが占有する時間領域リソースの長さについては、実装3の説明を参照されたい。
【０１２５】
場合により、ACKは2進数で「1」で表され、NACKおよび／またはDTXは2進数で「0」で表される。
【０１２６】
場合により、第3の時間長は1msであり、Xは3に等しく、3つのデータチャネルは、第1のデータチャネル、第2のデータチャネル、および第3のデータチャネルを含む。第1のデータチャネルおよび第3のデータチャネルによって占有される時間領域リソースの長さは両方とも0．5msであり、第2のデータチャネルによって占有される時間領域リソースの長さは、1msである。第1のデータチャネルおよび第3のデータチャネルの送信モードが両方とも2つのトランスポートブロックをサポートし、第1のデータチャネルおよび第3のデータチャネルの両方が端末装置によって正しく受信され、第2のデータチャネルの送信モードが1つのトランスポートブロックのみをサポートし、第2のデータチャネルが端末装置に受信されない場合には、3つの確認応答情報の2進数ビットストリームが降順に「0 11 11」となる。
【０１２７】
場合により、第3の時間長は1msであり、Xは7または8に等しく、X個のデータチャネルは、1ms長の時間領域リソースを占有する1つのデータチャネルと、2シンボル長の時間領域リソースを占有する6つまたは7つのデータチャネルと、を含む。第1のデータチャネルによって占有される時間領域リソースの長さは2シンボルであり、第2のデータチャネルによって占有される時間領域リソースの長さは1msである。第2のデータチャネルの送信モードが1つのトランスポートブロックのみをサポートし、第2のデータチャネルが端末装置によって正しく受信される場合、2シンボル長の時間領域リソースを占有するデータチャネルの送信モードはすべて2つのトランスポートブロックをサポートする。6つまたは7つのデータチャネルにおける最初の2つのデータチャネルは端末装置によって受信されず、6つまたは7つのデータチャネルにおける第3のデータチャネルは端末装置によって正しく受信されず、最後の3つまたは4つのデータチャネルはすべて端末装置によって正しく受信される。したがって、降順に、7つの確認応答情報の2進数ビットストリームは「1 00 00 00 11 11 11」であり、8つの確認応答情報の2進数ビットストリームは「1 00 00 00 11 11 11 11」である。
【０１２８】
場合により、第3の時間長は0．5msであり、Xは2に等しく、2つのデータチャネルは、第1のデータチャネルおよび第2のデータチャネルを含む。第1のデータチャネルによって占有される時間領域リソースの長さは0．5msであり、第2のデータチャネルによって占有される時間領域リソースの長さは1msである。第1のデータチャネルと第2のデータチャネルとの送信モードが両方とも2つのトランスポートブロックをサポートする場合、第1のデータチャネルは端末装置によって受信されず、第2のデータチャネルは端末装置によって正しく受信され、2つの確認応答情報の2進数ビットストリームは降順に「11 00」である。
【０１２９】
場合により、第3の時間長は2シンボルであり、Xは2に等しく、2つのデータチャネルは、第1のデータチャネルおよび第2のデータチャネルを含む。第1のデータチャネルによって占有される時間領域リソースの長さは2シンボルであり、第2のデータチャネルによって占有される時間領域リソースの長さは1msである。第1のデータチャネルと第2のデータチャネルとの送信モードが両方とも2つのトランスポートブロックをサポートする場合、第1のデータチャネルは端末装置によって正しく受信されず、第2のデータチャネルは端末装置によって正しく受信され、2つの確認応答情報の2進数ビットストリームは降順に「11 00」である。
【０１３０】
場合により、端末装置は、ダウンリンク制御情報（downlink control information、DCI）を受信し、DCIは、Xの値および／またはデータチャネルの送信識別子を示す。例えば、DCIは、Xが3に等しいことを示し、3つのデータチャネルの送信シ順識別子を示す。
【０１３１】
端末装置がHARQ−ACKフィードバックメッセージを生成する前に、端末装置は、P個のデータチャネルを受信する。場合により、HARQ−ACKフィードバックメッセージはPの値をさらに示す。HARQ−ACKフィードバックメッセージを受信した後、Pがネットワーク装置によって送信されたデータチャネルの数未満であることをネットワーク装置が発見すると、ネットワーク装置は、端末装置がX個のデータチャネルにおける1つ以上のデータチャネルを受信しないことを判定する。さらに、ネットワーク装置は、通信サービス品質を確保するために、未受信データチャネルを再送信する。
【０１３２】
本発明の本実施形態では、HARQ−ACKフィードバックメッセージのオーバヘッドは比較的大きいが、ネットワーク装置は、正しく受信されなかった、または受信されなかった1つ以上のデータチャネルを再送信するために、HARQ−ACKフィードバックメッセージを使用して各データチャネルの受信状態を判定できる。
【０１３３】
実装5
【０１３４】
任意の実施形態では、端末装置は、第1のデータチャネルに対応する第1の受信状態および第2のデータチャネルに対応する第2の受信状態に基づいて、PUCCHリソースを判定し、PUCCHリソースは、第3の時間長を有する時間領域リソース上で運ばれる。
【０１３５】
端末装置は、判定されたPUCCHリソース上でHARQ−ACKフィードバックメッセージを送信する。
【０１３６】
場合により、端末装置は、第1の受信状態、第2の受信状態、およびリソースマッピング関係に基づいて、2つの候補PUCCHリソースからフィードバックリソースを判定する。
【０１３７】
場合により、リソースマッピング関係は、以下の関係のうちの少なくとも1つを含む。
【０１３８】
関係1：第1のデータチャネルの受信状態はACKであり、フィードバックリソースは第1のデータチャネルに対応するPUCCHフィードバックリソースである。
【０１３９】
関係2：第1のデータチャネルの受信状態はNACKまたはDTXであり、第2のデータチャネルの受信状態はACKまたはNACKであり、フィードバックリソースは第2のデータチャネルに対応するPUCCHフィードバックリソースである。
【０１４０】
関係3：第1のデータチャネルの受信状態はNACKまたはDTXであり、第2のデータチャネルの受信状態はDTXであり、端末装置はHARQ−ACKフィードバックメッセージを送信しない。
【０１４１】
場合により、リソースマッピング関係は、以下の関係のうちの少なくとも1つを含む。
【０１４２】
関係4：第2のデータチャネルの受信状態はACKであり、フィードバックリソースは第2のデータチャネルに対応するPUCCHフィードバックリソースである。
【０１４３】
関係5：第2のデータチャネルの受信状態はNACKまたはDTXであり、第1のデータチャネルの受信状態はACKまたはNACKであり、フィードバックリソースは第1のデータチャネルに対応するPUCCHフィードバックリソースである。
【０１４４】
関係6：第2のデータチャネルの受信状態はNACKまたはDTXであり、第1のデータチャネルの受信状態はDTXであり、端末装置はHARQ−ACKフィードバックメッセージを送信しない。
【０１４５】
場合により、端末装置は、第1の受信状態、第2の受信状態、および表1に基づいて、フィードバックリソースおよびHARQ−ACKフィードバックメッセージを判定する。「無送信」は、端末装置がHARQ−ACKフィードバックメッセージをネットワーク装置に送信しないことを意味する。HARQ−ACKフィードバックメッセージは2ビットである。場合により、表1において、aは「第1」を表し、bは「第2」を表し、nPUCCH，0は第2のデータチャネルに対応するPUCCHフィードバックリソースを表し、nPUCCH，1は第1のデータチャネルに対応するPUCCHフィードバックリソースを表す。場合により、表1において、aは「第2」を表し、bは「第1」を表し、nPUCCH，0は第1のデータチャネルに対応するPUCCHフィードバックリソースを表し、nPUCCH，1は第2のデータチャネルに対応するPUCCHフィードバックリソースを表す。
【０１４６】
【表１】
2019521561.tif 000003
【０１４７】
対応して、ネットワーク装置は、HARQ−ACKフィードバックメッセージと、HARQ−ACKフィードバックメッセージを運ぶフィードバックリソースとに基づいて、第1のデータチャネルに対応する第1の受信状態と第2のデータに対応する第2の受信状態とを判定する。
【０１４８】
場合により、ネットワーク装置は、HARQ−ACKフィードバックメッセージ、HARQ−ACKフィードバックメッセージを運ぶフィードバックリソース、および表1に基づいて、第1の受信状態および第2の受信状態を判定する。
【０１４９】
実装6
【０１５０】
任意の実施形態では、第1のデータチャネルおよび第2のデータチャネルは、第1のサービングセル（サービングセルcと記す）に位置し、HARQ−ACKフィードバックメッセージは、第3のデータチャネルに対応する第3の受信状態を示すためにさらに使用される。第3のデータチャネルは、第2のサービングセル（サービングセルdとして示される）に位置し、cおよびdの両方がサービングセル識別子であり、かつ0以上の整数である。
【０１５１】
場合により、HARQ−ACKフィードバックメッセージは、第1情報フィールドと第2情報フィールドと少なくともを含む。第1の情報フィールドは、サービングセルcにおけるデータチャネルに対応する受信状態を示し、第1の情報フィールドは、第1の受信状態および第2の受信状態を示すために少なくとも使用される。第2の情報フィールドは、サービングセルdにおけるデータチャネルに対応する受信状態を示し、第2の情報フィールドは、第3の受信状態を示すために少なくとも使用される。場合により、cはd未満であり、HARQ−ACKフィードバックメッセージにおいて、第1の情報フィールドは第2の情報フィールドの前にある。場合により、cはdより大きく、HARQ−ACKフィードバックメッセージにおいて、第1の情報フィールドは第2の情報フィールドの後にある。なお、HARQ−ACKフィードバックメッセージがサービングセルcまたはサービングセルdにおけるデータチャネルの受信状態を示す方法については、実施形態1から実施形態5を参照されたい。ここでは細部を繰り返し説明しない。
【０１５２】
この場合、HARQ−ACKフィードバックメッセージは、キャリアアグリゲーション中に異なるサービングセルにおけるデータチャネルに対応する受信状態をフィードバックできる、すなわち1つのフィードバックメッセージを用いて、異なるサービングセルにあり、かつ異なる長さの時間領域リソースを占有する複数のデータチャネルに対応する受信状態をフィードバックすることができる。
【０１５３】
場合により、HARQ−ACKフィードバックメッセージは、第4のデータチャネルに対応する第4の受信状態を示すためにさらに使用される。第4のデータチャネルは、第2のサービングセルに位置し、第3のデータチャネルによって占有される時間領域リソースの長さは、第4のデータチャネルによって占有される時間領域リソースの長さ未満である。場合により、HARQ−ACKフィードバックメッセージは、第1のデータチャネルに対応する第1の受信状態と、第2のデータチャネルに対応する第2の受信状態と、第3のデータチャネルに対応する第3の受信状態と、第4のデータチャネルに対応する第4の受信状態と、をそれぞれ示すために、第1の確認応答情報と、第2の確認応答情報と、第3の確認応答情報と、第4の確認応答情報と、を少なくとも含む。場合により、HARQ−ACKフィードバックメッセージにおいて、4つの確認応答情報が、データチャネルが占有する時間領域リソースの時間長の昇順または降順に配置され、同じ時間長の複数のデータチャネルに対応する複数の確認応答情報がサービングセル識別子の昇順に配置される。場合により、HARQ−ACKフィードバックメッセージにおいて、4つの確認応答情報がデータチャネル受信順に配置され、同時に受信された複数のデータチャネルに対応する複数の確認応答情報がサービングセル識別子の昇順に配置される。
【０１５４】
上述の実施形態を実装するために、本発明の一実施形態は、端末装置をさらに提供する。端末装置は、上記実施形態の方法を行うことができることに留意されたい。したがって、本実施形態の具体的な詳細については、上述の実施形態の説明を参照されたい。簡潔にするために、同じ内容は以下では説明しない。
【０１５５】
図6に示すように、端末装置は、プロセッサと送受信機とを備え得る。当然のことながら、端末装置はメモリなどをさらに備えていてもよい。
【０１５６】
プロセッサは、第1のデータチャネルに対応する第1の受信状態と第2のデータに対応する第2の受信状態とを判定し、ハイブリッド自動再送要求確認応答HARQ−ACKフィードバックメッセージを生成するように構成される。HARQ−ACKフィードバックメッセージは、第1のデータチャネルに対応する第1の受信状態と第2のデータチャネルに対応する第2の受信状態とを示すために少なくとも使用され、第1のデータチャネルが占有する時間領域リソースの長さは第1の時間長であり、第2のデータチャネルが占有する時間領域リソースの長さは第2の時間長であり、第1の時間長は第2の時間長未満である。
【０１５７】
送受信機は、第3の時間長を有する時間領域リソース上でHARQ−ACKフィードバックメッセージを送信するように構成される。
【０１５８】
任意の実施形態では、送受信機は、第3の時間長を有する時間領域リソース上でHARQ−ACKフィードバックメッセージを送信する前に、第3の時間長を示すために使用されるシグナリングを受信するように構成される。
【０１５９】
任意の実施形態では、送受信機は、プロセッサがHARQ−ACKフィードバックメッセージを生成する前に、少なくとも2つのダウンリンクデータチャネルを受信するように構成される。少なくとも2つのダウンリンクデータチャネルが、第1のデータチャネルと第2のデータチャネルとを含み、HARQ−ACKフィードバックメッセージが、少なくとも2つのダウンリンクデータチャネルのすべてに対応する受信状態の論理および演算結果を用いて、第1の受信状態と第2の受信状態とを示す。
【０１６０】
任意の実施形態では、HARQ−ACKフィードバックメッセージが、第1の確認応答情報と第2の確認応答情報とを含み、第1の確認応答情報が、第1のデータチャネルに対応する第1の受信状態を示すために使用され、第2の確認応答情報が、第2のデータチャネルに対応する第2の受信状態を示すために使用される。HARQ−ACKフィードバックメッセージにおいて、第1の確認応答情報は、第2の確認応答情報の後にある。
【０１６１】
上述の実施形態を実装するために、本発明の一実施形態は、別の端末装置をさらに提供する。端末装置は、上記実施形態の方法を行うことができることに留意されたい。したがって、本実施形態の具体的な詳細については、上述の実施形態の説明を参照されたい。簡潔にするために、同じ内容は以下では説明しない。
【０１６２】
図7に示すように、端末装置は、処理モジュールと送受信機モジュールとを備え得る。当然のことながら、端末装置は記憶モジュールなどをさらに備えていてもよい。
【０１６３】
処理モジュールは、第1のデータチャネルに対応する第1の受信状態と第2のデータに対応する第2の受信状態とを判定し、ハイブリッド自動再送要求確認応答HARQ−ACKフィードバックメッセージを生成するように構成される。HARQ−ACKフィードバックメッセージは、第1のデータチャネルに対応する第1の受信状態と第2のデータチャネルに対応する第2の受信状態とを示すために少なくとも使用され、第1のデータチャネルが占有する時間領域リソースの長さは第1の時間長であり、第2のデータチャネルが占有する時間領域リソースの長さは第2の時間長であり、第1の時間長は第2の時間長未満である。
【０１６４】
送受信機モジュールは、第3の時間長を有する時間領域リソース上でHARQ−ACKフィードバックメッセージを送信するように構成される。
【０１６５】
任意の実施形態では、送受信機モジュールは、第3の時間長を有する時間領域リソース上でHARQ−ACKフィードバックメッセージを送信する前に、第3の時間長を示すために使用されるシグナリングを受信するように構成される。
【０１６６】
任意の実施形態では、送受信機モジュールは、処理モジュールがHARQ−ACKフィードバックメッセージを生成する前に、少なくとも2つのダウンリンクデータチャネルを受信するように構成される。少なくとも2つのダウンリンクデータチャネルが、第1のデータチャネルと第2のデータチャネルとを含み、HARQ−ACKフィードバックメッセージが、少なくとも2つのダウンリンクデータチャネルのすべてに対応する受信状態の論理および演算結果を用いて、第1の受信状態と第2の受信状態とを示す。
【０１６７】
任意の実施形態では、HARQ−ACKフィードバックメッセージが、第1の確認応答情報と第2の確認応答情報とを含み、第1の確認応答情報が、第1のデータチャネルに対応する第1の受信状態を示すために使用され、第2の確認応答情報が、第2のデータチャネルに対応する第2の受信状態を示すために使用される。HARQ−ACKフィードバックメッセージにおいて、第1の確認応答情報は、第2の確認応答情報の後にある。
【０１６８】
なお、端末装置によって、データチャネルの受信状態を判定するステップと、HARQ−ACKフィードバックメッセージを生成するステップと、第3の時間長を有する時間領域リソース上でHARQ−ACKフィードバックメッセージを送信するステップと、の具体的な実装については、方法の実施形態における説明を参照されたい。端末装置の実施形態および上述の方法の実施形態は、同じ概念に基づいている。端末装置の実施形態の技術的効果は、本発明の方法の実施形態の技術的効果と同じである。具体的な内容については、本発明の方法の実施形態の説明を参照されたい。ここでは細部を繰り返し説明しない。
【０１６９】
上述の実施形態を実装するために、本発明の一実施形態は、ネットワーク装置をさらに提供する。ネットワーク装置は、上記実施形態の方法を行うことができることに留意されたい。したがって、本実施形態の具体的な詳細については、上述の実施形態の説明を参照されたい。簡潔にするために、同じ内容は以下では説明しない。
【０１７０】
図8に示すように、ネットワーク装置は、プロセッサと送受信機とを備え得る。当然のことながら、ネットワーク装置はメモリなどをさらに備えていてもよい。
【０１７１】
送受信機は、第3の時間長を有する時間領域リソース上でHARQ−ACKフィードバックメッセージを受信するように構成される。HARQ−ACKフィードバックメッセージが、第1のデータチャネルに対応する第1の受信状態と第2のデータチャネルに対応する第2の受信状態とを示すために少なくとも使用され、第1のデータチャネルが占有する時間領域リソースの長さは第1の時間長であり、第2のデータチャネルが占有する時間領域リソースの長さは第2の時間長であり、第1の時間長は第2の時間長未満である。
【０１７２】
プロセッサは、HARQ−ACKフィードバックメッセージに基づいて、第1のデータチャネルに対応する第1の受信状態と第2のデータに対応する第2の受信状態とを判定するように構成される。
【０１７３】
任意の実施形態では、送受信機は、第3の時間長を有する時間領域リソース上でHARQ−ACKフィードバックメッセージを受信する前に、第3の時間長を示すために使用されるシグナリングを送信するように構成される。
【０１７４】
任意の実施形態では、送受信機は、第3の時間長を有する時間領域リソース上でHARQ−ACKフィードバックメッセージを受信する前に、少なくとも2つのダウンリンクデータチャネルを送信するように構成される。少なくとも2つのダウンリンクデータチャネルが、第1のデータチャネルと第2のデータチャネルとを含み、HARQ−ACKフィードバックメッセージが、少なくとも2つのダウンリンクデータチャネルのすべてに対応する受信状態の論理および演算結果を用いて、第1の受信状態と第2の受信状態とを示す。
【０１７５】
任意の実施形態では、HARQ−ACKフィードバックメッセージが、第1の確認応答情報と第2の確認応答情報とを含み、第1の確認応答情報が、第1のデータチャネルに対応する第1の受信状態を示すために使用され、第2の確認応答情報が、第2のデータチャネルに対応する第2の受信状態を示すために使用される。HARQ−ACKフィードバックメッセージにおいて、第1の確認応答情報は、第2の確認応答情報の後にある。
【０１７６】
上述の実施形態を実装するために、本発明の一実施形態は、別のネットワーク装置をさらに提供する。ネットワーク装置は、上記実施形態の方法を行うことができることに留意されたい。したがって、本実施形態の具体的な詳細については、上述の実施形態の説明を参照されたい。簡潔にするために、同じ内容は以下では説明しない。
【０１７７】
図9に示すように、ネットワーク装置は、処理モジュールと送受信機モジュールとを備え得る。当然のことながら、ネットワーク装置は記憶モジュールなどをさらに備えていてもよい。
【０１７８】
送受信機モジュールは、第3の時間長を有する時間領域リソース上でHARQ−ACKフィードバックメッセージを受信するように構成される。HARQ−ACKフィードバックメッセージが、第1のデータチャネルに対応する第1の受信状態と第2のデータチャネルに対応する第2の受信状態とを示すために少なくとも使用され、第1のデータチャネルが占有する時間領域リソースの長さは第1の時間長であり、第2のデータチャネルが占有する時間領域リソースの長さは第2の時間長であり、第1の時間長は第2の時間長未満である。
【０１７９】
処理モジュールは、HARQ−ACKフィードバックメッセージに基づいて、第1のデータチャネルに対応する第1の受信状態と第2のデータに対応する第2の受信状態とを判定するように構成される。
【０１８０】
任意の実施形態では、送受信機モジュールは、第3の時間長を有する時間領域リソース上でHARQ−ACKフィードバックメッセージを受信する前に、第3の時間長を示すために使用されるシグナリングを送信するように構成される。
【０１８１】
任意の実施形態では、送受信機モジュールは、第3の時間長を有する時間領域リソース上でHARQ−ACKフィードバックメッセージを受信する前に、少なくとも2つのダウンリンクデータチャネルを送信するように構成される。少なくとも2つのダウンリンクデータチャネルが、第1のデータチャネルと第2のデータチャネルとを含み、HARQ−ACKフィードバックメッセージが、少なくとも2つのダウンリンクデータチャネルのすべてに対応する受信状態の論理および演算結果を用いて、第1の受信状態と第2の受信状態とを示す。
【０１８２】
任意の実施形態では、HARQ−ACKフィードバックメッセージが、第1の確認応答情報と第2の確認応答情報とを含み、第1の確認応答情報が、第1のデータチャネルに対応する第1の受信状態を示すために使用され、第2の確認応答情報が、第2のデータチャネルに対応する第2の受信状態を示すために使用される。HARQ−ACKフィードバックメッセージにおいて、第1の確認応答情報は、第2の確認応答情報の後にある。
【０１８３】
なお、ネットワーク装置によって、第3の時間長を有する時間領域リソース上でHARQ−ACKフィードバックメッセージを受信するステップと、HARQ−ACKフィードバックメッセージに基づいて、データチャネルに対応する受信状態を判定するステップと、の具体的な実装については、方法の実施形態の説明を参照されたい。ネットワーク装置の実施形態および上述の方法の実施形態は、同じ概念に基づいている。ネットワーク装置の実施形態の技術的効果は、本発明の方法の実施形態の技術的効果と同じである。具体的な内容については、本発明の方法の実施形態の説明を参照されたい。ここでは細部を繰り返し説明しない。
【０１８４】
本発明のすべての実施形態におけるプロセッサは、中央演算装置（central processing unit、CPU）であってもよいし、別の汎用プロセッサ、デジタルシグナルプロセッサ（digital signal processor、DSP）、特定用途向け集積回路（application−specific integrated circuit、ASIC）、フィールドプログラマブルゲートアレイ（field programmable gate array、FPGA）、または別のプログラマブルロジックデバイス、別個のゲートもしくはトランジスタロジックデバイス、別個のハードウェアコンポーネントなどであってもよいことを理解されたい。加えて、本発明の上述の実施形態におけるネットワーク装置および端末装置は、メモリなどの構成要素をさらに備えていてもよい。本明細書においてメモリは、読み出し専用メモリおよびランダムアクセスメモリを含むことができ、プロセッサに命令およびデータを提供し得る。メモリの一部は、不揮発性ランダムアクセスメモリをさらに含み得る。例えば、メモリは、装置タイプに関する情報をさらに記憶し得る。プロセッサは、メモリ内の命令コードを呼び出して、本発明の実施形態におけるネットワーク装置およびユーザ機器の他のモジュールが上述の動作を実行するように制御する。
【０１８５】
明細書全体に記載された「一実施形態」、「1つの実施形態」、または「本発明の本実施形態」は、この実施形態に関連する特定の特徴、構造、または特性が本発明の少なくとも1つの実施形態に含まれることを意味することを理解されたい。したがって、明細書全体を通して現れる「一実施形態では」、「1の実施形態では」、または「本発明の本実施形態では」は必ずしも同じ実施形態を指すものではない。加えて、これらの特定の特徴、構造、または特性は、1つ以上の実施形態において、任意の適切な方式を使用して組み合わせることができる。
【０１８６】
本発明の様々な実施形態において上記のプロセスのシーケンス番号は、実行する順番を意味するものではないことを理解されたい。プロセスを実行する順番は、プロセスの機能および内部ロジックに基づいて判定されるものとするが、本発明の各実施形態の実装プロセスに対するいかなる限定とも解釈されるべきではない。
【０１８７】
加えて、「システム」および「ネットワーク」という用語は、本明細書では交換可能である。本明細書における「および／または」という用語は、関連するオブジェクトを記述するための関連関係のみを記述し、3つの関係が存在し得ることを表していることを理解されたい。例えば、Aおよび／またはBは、以下の3つの場合、すなわち、Aのみが存在する場合、AとBとの両方が存在する場合、およびBのみが存在する場合を表すことができる。加えて、本明細書中の文字「／」は、関連するオブジェクト間の「論理和」関係を一般に示す。
【０１８８】
本出願の実施形態では、「Aに対応するB」は、BがAに関連付けられ、かつBがAに基づいて判定され得ることを示すことを理解されたい。しかしながら、Aに基づいてBを判定することは、BがAのみに基づいて判定されることを意味しない、つまり、Bは、Aおよび／または他の情報に基づいて判定されてもよいことをさらに理解されたい。
【０１８９】
当業者であれば、本明細書で開示した各実施形態において説明した例と組み合わせて、電子的ハードウェア、コンピュータソフトウェア、またはこれらの組み合わせによって、ユニットおよびアルゴリズムステップを実施してよいことを承知しているはずである。ハードウェアとソフトウェアとの交換可能性を明確に説明するために、上記は、機能に応じて各例の構成およびステップを一般的に説明した。機能をハードウェアで行うかソフトウェアで行うかは、技術的解決策の具体的なアプリケーションと設計制約条件とによって決まる。当業者は、異なる方法を使用して、それぞれの具体的なアプリケーションに対して、説明された機能を実施できるが、こうした実施が、本発明の範囲を超えるものであるとみなすべきではない。
【０１９０】
本出願の実施形態では、表示された、または論じられた相互結合または直接結合または通信接続を、いくつかのインターフェースを使用して実現することもできる。装置間またはユニット間の間接結合または通信接続は、電子的形態、機械的形態、または他の形態として実現することができる。
【０１９１】
別々の部品として記述された上記ユニットは物理的に分離している場合もそうでない場合もあり、ユニットとして表示された部品は、物理的ユニットである場合もそうでない場合もあり、一箇所に位置する場合もあり、複数のネットワークユニット上に分散される場合もある。ユニットの一部または全部を、各実施形態の解決策の目的を達成するための実際の要件に従って選択することもできる。
【０１９２】
統合ユニットがソフトウェア機能ユニットの形態で実現され、独立した製品として販売または使用される場合、統合ユニットは、コンピュータ可読記憶媒体に記憶することができる。そうした理解に基づき、本発明の技術解決策を本質的に、または従来技術に寄与する部分を、または技術的な解決策の一部を、ソフトウェア製品の形態で実現することができる。コンピュータソフトウェア製品は記憶媒体に記憶されており、（パーソナルコンピュータ、サーバ、もしくはネットワーク装置などとすることができる）コンピュータデバイスに、本発明の各実施形態で記述されている方法のステップの全部または一部を実行するよう命令するためのいくつかの命令を含む。上記記憶媒体は、USBフラッシュドライブ、取り外し可能ハードディスク、読み出し専用メモリ（read−only memory、ROM）、ランダムアクセスメモリ（random access memory、RAM）、磁気ディスク、光ディスクといった、プログラムコードを記憶することができる任意の媒体を含む。
【０１９３】
上記の説明は、単に本発明の具体的な実施に過ぎず、本発明の保護範囲を限定することを意図するものではない。本発明において開示された技術的範囲内にあり、当業者によって容易に想到される、あらゆる変形や置き換えは、本発明の保護範囲内に含まれるものとする。したがって、本発明の保護範囲は、特許請求の範囲の保護範囲に属する。
【符号の説明】
【０１９４】
６０，８０  プロセッサ
６１，８１  送受信機
７０，９０  処理モジュール
７１，９１  送受信機モジュール
【図１】
2019521561.tif 000004
【図２】
2019521561.tif 000005
【図３】
2019521561.tif 000006
【図４】
2019521561.tif 000007
【図５】
2019521561.tif 000008
【図６】
2019521561.tif 000009
【図７】
2019521561.tif 000010
【図８】
2019521561.tif 000011
【図９】
2019521561.tif 000012
【手続補正書】
【提出日】平成30年12月20日(2018.12.20)
【手続補正１】
【補正対象書類名】特許請求の範囲
【補正対象項目名】全文
【補正方法】変更
【補正の内容】
【特許請求の範囲】
【請求項１】
端末装置によって、第1のデータチャネルに対応する第1の受信状態と、第2のデータチャネルに対応する第2の受信状態と、を判定するステップと、
前記端末装置によって、ハイブリッド自動再送要求確認応答HARQ−ACKフィードバックメッセージを生成するステップであって、前記HARQ−ACKフィードバックメッセージが、前記第1の受信状態と前記第2の受信状態とを示すために少なくとも使用され、前記第1のデータチャネルが占有する時間領域リソースの長さが第1の時間長であり、前記第2のデータチャネルが占有する時間領域リソースの長さが第2の時間長であり、前記第1の時間長が前記第2の時間長未満である、ステップと、
前記端末装置によって、第3の時間長を有する時間領域リソース上で前記HARQ−ACKフィードバックメッセージを送信するステップと、
を含む、フィードバックメッセージ送信方法。
【請求項２】
前記端末装置によって、第3の時間長を有する時間領域リソース上で前記HARQ−ACKフィードバックメッセージを送信する、前記ステップの前に、
前記端末装置によって、前記第3の時間長を示すために使用されるシグナリングを受信するステップ
をさらに含む、請求項1に記載の方法。
【請求項３】
前記HARQ−ACKフィードバックメッセージが第1の確認応答情報と第2の確認応答情報とを含み、前記第1の確認応答情報が前記第1の受信状態を示すために使用され、前記第2の確認応答情報が前記第2の受信状態を示すために使用され、
前記HARQ−ACKフィードバックメッセージにおいて、前記第1の確認応答情報が前記第2の確認応答情報の前にある、
請求項1または2に記載の方法。
【請求項４】
前記第1のデータチャネルはM個のデータチャネルのうちの1つであり、前記第2のデータチャネルはN個のデータチャネルのうちの1つであり、MおよびNは正の整数であり、
前記端末装置によって、HARQ−ACKフィードバックメッセージを生成する、前記ステップの前に、前記方法は、
前記端末装置によって、前記M個のデータチャネルを受信するステップであって、前記第1の確認応答情報が、前記M個のデータチャネルのすべてに対応する受信状態の論理および演算結果を示すために使用される、ステップ、ならびに／または
前記端末装置によって、前記N個のデータチャネルを受信するステップであって、前記第2の確認応答情報が、前記N個のデータチャネルのすべてに対応する受信状態の論理および演算結果を示すために使用される、ステップ
をさらに含む、請求項3に記載の方法。
【請求項５】
前記HARQ−ACKフィードバックメッセージはX個の確認応答情報を含み、前記X個の確認応答情報は前記第1の確認応答情報と前記第2の確認応答情報とを含み、前記X個の確認応答情報はX個のデータチャネルに対応する受信状態をそれぞれ示し、前記X個のデータチャネルは前記第1のデータチャネルと前記第2のデータチャネルとを含み、Xは2以上の整数である、請求項3に記載の方法。
【請求項６】
前記X個のデータチャネルは、P個の受信データチャネルと（X−P）個の未受信データチャネルとを含み、前記X個の確認応答情報におけるP個の確認応答情報は、前記P個の受信データチャネルに対応する受信状態を示すためにそれぞれ使用され、前記X個の確認応答情報における（X−P）個の確認応答情報は、前記（X−P）個の未受信データチャネルに対応する受信状態を示すためにそれぞれ使用され、前記（X−P）個の未受信データチャネルに対応する前記受信状態は、否定応答NACKまたは間欠送信DTXであり、Pは整数であり、P≦Xであり、
前記第1のデータチャネルは、前記P個の受信データチャネルのうちの1つである、または前記（X−P）個の未受信データチャネルのうちの1つであり、
前記第2のデータチャネルは、前記P個の受信データチャネルのうちの1つである、または前記（X−P）個の未受信データチャネルのうちの1つである、
請求項5に記載の方法。
【請求項７】
前記端末装置によって、第3の時間長を有する時間領域リソース上で前記HARQ−ACKフィードバックメッセージを送信する、前記ステップの前に、
前記端末装置によって、前記第1の受信状態と前記第2の受信状態とに基づいて、物理アップリンク制御チャネルPUCCHリソースを判定するステップであって、前記PUCCHリソースは、前記第3の時間長を有する前記時間領域リソース上に位置する、ステップ
をさらに含み、
前記端末装置によって、第3の時間長を有する時間領域リソース上で前記HARQ−ACKフィードバックメッセージを送信する、前記ステップが、
前記端末装置によって、前記判定されたPUCCHリソース上で前記HARQ−ACKフィードバックメッセージを送信するステップ
を含む、請求項1または2に記載の方法。
【請求項８】
前記第1のデータチャネルおよび前記第2のデータチャネルは、第1のサービングセルに位置し、
前記HARQ−ACKフィードバックメッセージは、第3のデータチャネルに対応する第3の受信状態を示すためにさらに使用され、前記第3のデータチャネルは、第2のサービングセルに位置する、
請求項1から7のいずれか一項に記載の方法。
【請求項９】
ネットワーク装置によって、第3の時間長を有する時間領域リソース上でハイブリッド自動再送要求確認応答HARQ−ACKフィードバックメッセージを受信するステップであって、前記HARQ−ACKフィードバックメッセージが、第1のデータチャネルに対応する第1の受信状態と第2のデータチャネルに対応する第2の受信状態とを示すために少なくとも使用され、前記第1のデータチャネルが占有する時間領域リソースの長さは第1の時間長であり、前記第2のデータチャネルが占有する時間領域リソースの長さは第2の時間長であり、前記第1の時間長は前記第2の時間長未満である、ステップと、
前記ネットワーク装置によって、前記HARQ−ACKフィードバックメッセージに基づいて、前記第1の受信状態と前記第2の受信状態とを判定するステップと、
を含む、フィードバックメッセージ受信方法。
【請求項１０】
前記HARQ−ACKフィードバックメッセージが第1の確認応答情報と第2の確認応答情報とを含み、前記第1の確認応答情報が前記第1の受信状態を示すために使用され、前記第2の確認応答情報が前記第2の受信状態を示すために使用され、
前記HARQ−ACKフィードバックメッセージにおいて、前記第1の確認応答情報が前記第2の確認応答情報の前にある、
請求項9に記載の方法。
【請求項１１】
前記第1のデータチャネルはM個のデータチャネルのうちの1つであり、前記第2のデータチャネルはN個のデータチャネルのうちの1つであり、MおよびNは正の整数であり、
ネットワーク装置によって、第3の時間長を有する時間領域リソース上でHARQ−ACKフィードバックメッセージを受信する、前記ステップの前に、前記方法は、
前記ネットワーク装置によって、前記M個のデータチャネルを送信するステップであって、前記第1の確認応答情報が、前記M個のデータチャネルのすべてに対応する受信状態の論理および演算結果を示すために使用される、ステップ、ならびに／または
前記ネットワーク装置によって、前記N個のデータチャネルを送信するステップであって、前記第2の確認応答情報が、前記N個のデータチャネルのすべてに対応する受信状態の論理および演算結果を示すために使用される、ステップ
をさらに含む、請求項10に記載の方法。
【請求項１２】
前記HARQ−ACKフィードバックメッセージはX個の確認応答情報を含み、前記X個の確認応答情報は前記第1の確認応答情報と前記第2の確認応答情報とを含み、前記X個の確認応答情報はX個のデータチャネルに対応する受信状態をそれぞれ示し、前記X個のデータチャネルは前記第1のデータチャネルと前記第2のデータチャネルとを含み、Xは2以上の整数である、請求項10に記載の方法。
【請求項１３】
前記X個のデータチャネルは、P個の受信データチャネルと（X−P）個の未受信データチャネルとを含み、前記X個の確認応答情報におけるP個の確認応答情報は、前記P個の受信データチャネルに対応する受信状態を示すためにそれぞれ使用され、前記X個の確認応答情報における（X−P）個の確認応答情報は、前記（X−P）個の未受信データチャネルに対応する受信状態を示すためにそれぞれ使用され、前記（X−P）個の未受信データチャネルに対応する前記受信状態は、否定応答NACKまたは間欠送信DTXであり、Pは整数であり、P≦Xであり、
前記第1のデータチャネルは、前記P個の受信データチャネルのうちの1つである、または前記（X−P）個の未受信データチャネルのうちの1つであり、
前記第2のデータチャネルは、前記P個の受信データチャネルのうちの1つである、または前記（X−P）個の未受信データチャネルのうちの1つである、
請求項12に記載の方法。
【請求項１４】
前記ネットワーク装置によって、前記HARQ−ACKフィードバックメッセージに基づいて、前記第1の受信状態と前記第2の受信状態とを判定する、前記ステップが、
前記ネットワーク装置によって、前記HARQ−ACKフィードバックメッセージと、前記HARQ−ACKフィードバックメッセージを運ぶ物理アップリンク制御チャネルPUCCHリソースとに基づいて、前記第1の受信状態と前記第2の受信状態とを判定するステップ
を含む、請求項9に記載の方法。
【請求項１５】
第1のデータチャネルに対応する第1の受信状態と、第2のデータチャネルに対応する第2の受信状態と、を判定し、ハイブリッド自動再送要求確認応答HARQ−ACKフィードバックメッセージを生成し、前記HARQ−ACKフィードバックメッセージが、前記第1の受信状態と前記第2の受信状態とを示すために少なくとも使用され、前記第1のデータチャネルが占有する時間領域リソースの長さが第1の時間長であり、前記第2のデータチャネルが占有する時間領域リソースの長さが第2の時間長であり、前記第1の時間長が前記第2の時間長未満である、ように構成される、処理ユニットと、
第3の時間長を有する時間領域リソース上で前記HARQ−ACKフィードバックメッセージを送信するように構成される送受信ユニットと、
を備える、端末装置。
【請求項１６】
前記HARQ−ACKフィードバックメッセージが第1の確認応答情報と第2の確認応答情報とを含み、前記第1の確認応答情報が前記第1の受信状態を示すために使用され、前記第2の確認応答情報が前記第2の受信状態を示すために使用され、
前記HARQ−ACKフィードバックメッセージにおいて、前記第1の確認応答情報が前記第2の確認応答情報の前にある、
請求項15に記載の端末装置。
【請求項１７】
前記第1のデータチャネルはM個のデータチャネルのうちの1つであり、前記第2のデータチャネルはN個のデータチャネルのうちの1つであり、MおよびNは正の整数であり、
前記送受信ユニットは、前記処理ユニットが前記HARQ−ACKフィードバックメッセージを生成する前に、前記M個のデータチャネルを受信し、前記第1の確認応答情報が、前記M個のデータチャネルのすべてに対応する受信状態の論理および演算結果を示すために使用される、ように構成される、ならびに／または
前記N個のデータチャネルを受信し、前記第2の確認応答情報が、前記N個のデータチャネルのすべてに対応する受信状態の論理および演算結果を示すために使用される、ように構成される、
請求項16に記載の端末装置。
【請求項１８】
前記HARQ−ACKフィードバックメッセージはX個の確認応答情報を含み、前記X個の確認応答情報は前記第1の確認応答情報と前記第2の確認応答情報とを含み、前記X個の確認応答情報はX個のデータチャネルに対応する受信状態をそれぞれ示し、前記X個のデータチャネルは前記第1のデータチャネルと前記第2のデータチャネルとを含み、Xは2以上の整数である、請求項16に記載の端末装置。
【請求項１９】
前記X個のデータチャネルは、P個の受信データチャネルと（X−P）個の未受信データチャネルとを含み、前記X個の確認応答情報におけるP個の確認応答情報は、前記P個の受信データチャネルに対応する受信状態を示すためにそれぞれ使用され、前記X個の確認応答情報における（X−P）個の確認応答情報は、前記（X−P）個の未受信データチャネルに対応する受信状態を示すためにそれぞれ使用され、前記（X−P）個の未受信データチャネルに対応する前記受信状態は、否定応答NACKまたは間欠送信DTXであり、Pは整数であり、P≦Xであり、
前記第1のデータチャネルは、前記P個の受信データチャネルのうちの1つである、または前記（X−P）個の未受信データチャネルのうちの1つであり、
前記第2のデータチャネルは、前記P個の受信データチャネルのうちの1つである、または前記（X−P）個の未受信データチャネルのうちの1つである、
請求項18に記載の端末装置。
【請求項２０】
前記処理ユニットは、前記送受信ユニットが前記第3の時間長を有する前記時間領域リソース上で前記HARQ−ACKフィードバックメッセージを送信する前に、前記第1の受信状態と前記第2の受信状態とに基づいて、物理アップリンク制御チャネルPUCCHリソースを判定し、前記PUCCHリソースは、前記第3の時間長を有する前記時間領域リソース上に位置する、ように構成され、
前記送受信ユニットは、前記PUCCHリソース上で前記HARQ−ACKフィードバックメッセージを送信するように構成される、
請求項15に記載の端末装置。
【請求項２１】
第3の時間長を有する時間領域リソース上でハイブリッド自動再送要求確認応答HARQ−ACKフィードバックメッセージを受信し、前記HARQ−ACKフィードバックメッセージが、第1のデータチャネルに対応する第1の受信状態と第2のデータチャネルに対応する第2の受信状態とを示すために少なくとも使用され、前記第1のデータチャネルが占有する時間領域リソースの長さは第1の時間長であり、前記第2のデータチャネルが占有する時間領域リソースの長さは第2の時間長であり、前記第1の時間長は前記第2の時間長未満である、ように構成される送受信ユニットと、
前記HARQ−ACKフィードバックメッセージに基づいて、前記第1の受信状態と前記第2の受信状態とを判定するように構成される処理ユニットと、
を備える、ネットワーク装置。
【請求項２２】
前記HARQ−ACKフィードバックメッセージが第1の確認応答情報と第2の確認応答情報とを含み、前記第1の確認応答情報が前記第1の受信状態を示すために使用され、前記第2の確認応答情報が前記第2の受信状態を示すために使用され、
前記HARQ−ACKフィードバックメッセージにおいて、前記第1の確認応答情報が前記第2の確認応答情報の前にある、
請求項21に記載のネットワーク装置。
【請求項２３】
前記第1のデータチャネルはM個のデータチャネルのうちの1つであり、前記第2のデータチャネルはN個のデータチャネルのうちの1つであり、MおよびNは正の整数であり、
前記送受信ユニットは、前記第3の時間長を有する前記時間領域リソース上で前記HARQ−ACKフィードバックメッセージを受信する前に、前記M個のデータチャネルを送信し、前記第1の確認応答情報が、前記M個のデータチャネルのすべてに対応する受信状態の論理および演算結果を示すために使用される、ように構成される、ならびに／または
前記N個のデータチャネルを送信し、前記第2の確認応答情報が、前記N個のデータチャネルのすべてに対応する受信状態の論理および演算結果を示すために使用される、ように構成される、
請求項22に記載のネットワーク装置。
【請求項２４】
前記HARQ−ACKフィードバックメッセージはX個の確認応答情報を含み、前記X個の確認応答情報は前記第1の確認応答情報と前記第2の確認応答情報とを含み、前記X個の確認応答情報はX個のデータチャネルに対応する受信状態をそれぞれ示し、前記X個のデータチャネルは前記第1のデータチャネルと前記第2のデータチャネルとを含み、Xは2以上の整数である、請求項22に記載のネットワーク装置。
【請求項２５】
前記X個のデータチャネルは、P個の受信データチャネルと（X−P）個の未受信データチャネルとを含み、前記X個の確認応答情報におけるP個の確認応答情報は、前記P個の受信データチャネルに対応する受信状態を示すためにそれぞれ使用され、前記X個の確認応答情報における（X−P）個の確認応答情報は、前記（X−P）個の未受信データチャネルに対応する受信状態を示すためにそれぞれ使用され、前記（X−P）個の未受信データチャネルに対応する前記受信状態は、否定応答NACKまたは間欠送信DTXであり、Pは整数であり、P≦Xであり、
前記第1のデータチャネルは、前記P個の受信データチャネルのうちの1つである、または前記（X−P）個の未受信データチャネルのうちの1つであり、
前記第2のデータチャネルは、前記P個の受信データチャネルのうちの1つである、または前記（X−P）個の未受信データチャネルのうちの1つである、
請求項24に記載のネットワーク装置。
【請求項２６】
前記処理ユニットは、前記HARQ−ACKフィードバックメッセージと、前記HARQ−ACKフィードバックメッセージを運ぶ物理アップリンク制御チャネルPUCCHリソースとに基づいて、前記第1の受信状態と前記第2の受信状態とを判定するように構成される、請求項21に記載のネットワーク装置。
【請求項２７】
請求項1から14のいずれか一項に記載の方法を実行するように構成された装置。
【請求項２８】
コンピュータによって実行された時、前記コンピュータに請求項1から14のいずれか一項に記載の方法を実行させるプログラム。
【手続補正２】
【補正対象書類名】明細書
【補正対象項目名】０００２
【補正方法】変更
【補正の内容】
【０００２】
ロングタームエボリューション（Long Term Evolution、LTE）システムでは、ネットワーク装置によって送信されたダウンリンクデータを受信した後、端末装置は、ハイブリッド自動再送要求確認応答（hybrid automatic repeat request−acknowledgement、HARQ−ACK）フィードバックメッセージをネットワーク装置に送信する必要がある。ダウンリンクデータを正しく受信した場合、端末装置は、確認応答（acknowledgement、ACK）を返す。ダウンリンクデータを正しく受信できなかった場合、端末装置は、否定応答（negative acknowledgement、NACK）を返す。ネットワーク装置は、受信したHARQ−ACKフィードバックメッセージに基づいて後続の動作を実行する、例えばダウンリンクデータを再送信するか否かを判定する。HARQ−ACKフィードバックメッセージは、物理アップリンク制御チャネル（physical uplink control channel、PUCCH）または物理アップリンク共有チャネル（physical uplink shared channel、PUSCH）上で運ばれ得る。
【手続補正３】
【補正対象書類名】明細書
【補正対象項目名】０００３
【補正方法】変更
【補正の内容】
【０００３】
無線通信システムでは、レイテンシ（latency）は、ユーザエクスペリエンスに影響を与える重要な要因の1つであり、継続的に出現する新しいサービスは、レイテンシに対してますます厳格な要件を課している。したがって、既存のLTEシステムでは、1サブフレーム、すなわち1ミリ秒（ms）の送信時間長に基づく送信メカニズムは、低レイテンシサービスの通信要件を満たすことができない。レイテンシを短くするために、物理ダウンリンク共有チャネル（physical downlink shared channel、PDSCH）の送信時間長を、1サブフレームから1タイムスロットまで、または1シンボルにまで削減する必要がある。さらに、異なるサービス要件またはシナリオ要件を整合させるために、端末装置は、複数の送信時間長のダウンリンクデータを受信する必要がある。したがって、複数の送信時間長のデータの受信状態をいかに効率的にフィードバックするかは、通信サービス品質を確保する鍵である。
【手続補正４】
【補正対象書類名】明細書
【補正対象項目名】００４８
【補正方法】変更
【補正の内容】
【００４８】
本発明の実施形態における技術的解決策を使用することにより、端末装置によって生成されたHARQ−ACKフィードバックメッセージは、第1のデータチャネルに対応する第1の受信状態と、第2のデータチャネルに対応する第2の受信状態とを示すために少なくとも使用され、第1のデータチャネルが占有する時間領域リソースの第1の時間長は、第2のデータチャネルが占有する時間領域リソースの第2の時間長とは異なる。したがって、端末装置は、複数のデータチャネルの受信状態のための複数のフィードバックメッセージをそれぞれ送信する必要がなく、1つのHARQ−ACKフィードバックメッセージを用いて、異なる長さの時間領域リソースを占有する複数のデータチャネルに対応する受信状態を効率的にフィードバックすることができ、それによって、通信サービス品質を確保できる。
【手続補正５】
【補正対象書類名】明細書
【補正対象項目名】００５１
【補正方法】変更
【補正の内容】
【００５１】
本発明の実施形態は、様々な通信システム、例えば、汎欧州デジタル移動電話方式（global system for mobile communication、GSM(登録商標)）、符号分割多元接続（code division multiple access、CDMA）、広帯域符号分割多元接続（wideband code division multiple access、WCDMA(登録商標)）、汎用パケット無線サービス（general packet radio service、GPRS）、およびロングタームエボリューション（Long Term Evolution、LTE）に適用できる。
【手続補正６】
【補正対象書類名】明細書
【補正対象項目名】００８１
【補正方法】変更
【補正の内容】
【００８１】
場合により、X個のデータチャネルの送信モードはすべて1つのコードワード（codeword）のみ、すなわち1つのトランスポートブロックのみをサポートし、HARQ−ACKフィードバックメッセージは、X個のデータチャネルに対応するX個の受信状態の論理および演算結果を示す1ビット情報を含む。場合により、1ビット情報はACKを示し、ネットワーク装置は、HARQ−ACKフィードバックメッセージに基づいて、第1の受信状態および第2の受信状態の両方がACKであると判定する。場合により、1ビット情報がNACKを示し、ネットワーク装置は、HARQ−ACKフィードバックメッセージに基づいて、第1の受信状態および第2の受信状態の両方がNACKである、または第1の受信状態および第2の受信状態のうちの少なくとも一方がNACKであると判定する。場合により、ACKは2進数で「1」で表され、NACKは2進数で「0」で表される。したがって、1ビット情報の2進値が1である場合、第1の受信状態と第2の受信状態との両方がACKであり、X個のデータチャネルに対応する受信状態はすべてACKである。1ビット情報の2進値が0である場合、X個のデータチャネルに対応するX個の受信状態のうちの少なくとも1つはNACKである。
【手続補正７】
【補正対象書類名】明細書
【補正対象項目名】００８３
【補正方法】変更
【補正の内容】
【００８３】
図4に示すように、端末装置は、第1のデータチャネル、第2のデータチャネル、および第3のデータチャネルを受信する。第1のダウンリンクデータチャネルによって占有される時間領域リソースは、ダウンリンクサブフレームn＋2における第1のタイムスロットであり、第2のダウンリンクデータチャネルによって占有される時間領域リソースはダウンリンクサブフレームnであり、第3のダウンリンクデータチャネルによって占有される時間領域リソースは、ダウンリンクサブフレームn＋2における第2のタイムスロットである。端末装置は、アップリンクサブフレームn＋4でHARQ−ACKフィードバックメッセージを送信する。HARQ−ACKフィードバックメッセージは、第1のダウンリンクデータチャネル、第2のダウンリンクデータチャネル、および第3のダウンリンクデータチャネルに対応する受信状態の論理および演算結果を用いて、第1のダウンリンクデータチャネルに対応する受信状態と、第2のダウンリンクデータチャネルに対応する受信状態とを示す。当然のことながら、HARQ−ACKフィードバックメッセージは、論理および演算結果を用いて、第3のダウンリンクデータチャネルに対応する受信状態をさらに示す。
【手続補正８】
【補正対象書類名】明細書
【補正対象項目名】００８４
【補正方法】変更
【補正の内容】
【００８４】
場合により、X個のデータチャネルは、同じサービングセルに位置する。
【手続補正９】
【補正対象書類名】明細書
【補正対象項目名】００９７
【補正方法】変更
【補正の内容】
【００９７】
本発明の実施形態における技術的解決策を使用することにより、端末装置によって生成されたHARQ−ACKフィードバックメッセージは、第1のデータチャネルに対応する第1の受信状態と、第2のデータチャネルに対応する第2の受信状態とを示すために少なくとも使用され、第1のデータチャネルが占有する時間領域リソースの第1の時間長は、第2のデータチャネルが占有する時間領域リソースの第2の時間長とは異なる。したがって、端末装置は、1つのHARQ−ACKフィードバックメッセージを用いて、異なる長さの時間領域リソースを占有する複数のデータチャネルまたは複数のデータ送信に対応する受信状態を効率的にフィードバックすることができ、異なる時間領域リソースを占有する複数のデータチャネルに関して複数のフィードバックメッセージをそれぞれ送信する必要はなく、それによって、通信サービス品質を確保できる。
【手続補正１０】
【補正対象書類名】明細書
【補正対象項目名】０１０６
【補正方法】変更
【補正の内容】
【０１０６】
場合により、第2の確認応答情報は、N個のデータチャネルに対応する受信状態の論理および演算結果を示すために使用される。場合により、N個のデータチャネルの送信モードは、すべて1つのコードワードのみをサポートし、第2の確認応答情報は1ビットである、すなわち、第2の確認応答情報のビット数は1である。場合により、N個のデータチャネルのうちの少なくとも1つの送信モードは、コードワード0およびコードワード1としてそれぞれ示される2つのコードワードをサポートする。第2の確認応答情報は2ビットであり、第1のビット情報および第2のビット情報として示される。第1のビット情報は、N個のデータチャネルのコードワード0に対応する受信状態の論理および演算結果を示し、第2のビット情報は、N個のデータチャネルのコードワード1に対応する受信状態の論理および演算結果を示す。
【手続補正１１】
【補正対象書類名】明細書
【補正対象項目名】０１８４
【補正方法】変更
【補正の内容】
【０１８４】
本発明のすべての実施形態におけるプロセッサは、中央演算装置（central processing unit、CPU）であってもよいし、別の汎用プロセッサ、デジタルシグナルプロセッサ（digital signal processor、DSP）、特定用途向け集積回路（application−specific integrated circuit、ASIC）、フィールドプログラマブルゲートアレイ（field programmable gate array、FPGA）、または別のプログラマブルロジックデバイス、別個のゲートもしくはトランジスタロジックデバイス、別個のハードウェアコンポーネントなどであってもよいことを理解されたい。加えて、本発明の上述の実施形態におけるネットワーク装置および端末装置は、メモリなどの構成要素をさらに備えていてもよい。本明細書においてメモリは、読み出し専用メモリおよびランダムアクセスメモリを含むことができ、プロセッサに命令およびデータを提供し得る。メモリの一部は、不揮発性ランダムアクセスメモリをさらに含み得る。例えば、メモリは、装置タイプに関する情報をさらに記憶し得る。プロセッサは、メモリ内の命令コードを呼び出して、本発明の実施形態におけるネットワーク装置および端末装置の他のモジュールが上述の動作を実行するように制御する。
【手続補正１２】
【補正対象書類名】図面
【補正対象項目名】図２
【補正方法】変更
【補正の内容】
【図２】
2019521561.tif 000013
【国際調査報告】
2019521561.tif 000014
2019521561.tif 000015
2019521561.tif 000016
2019521561.tif 000017